(57)【特許請求の範囲】
【請求項１】
リング状に結合された複数のノードを含む光伝送ネットワークにおいて、前記複数のノードの１つに設けられ、複数の異なる波長を有し、多重化された複数の光信号を伝送する光伝送装置であって、
前記複数の光信号を受信する光受信部と、
受信された前記複数の光信号の強度を検出する光検出部と、
各々が前記複数の光信号のうちの１つの光信号に対応する、複数の切替要求情報を含む切替制御情報を設定する切替処理部と、
前記複数の波長のうちの１つの波長に対応する代表波長を有する光信号により、前記代表波長を有する光信号であることを識別可能な代表波長フラグを含む前記切替制御情報を送信する光送信部と
を有し、
前記光検出部が、前記受信された光信号のうちの１つの光信号の強度が所定の範囲内にないことを検出したとき、
前記切替処理部は、前記切替制御情報において、前記受信された光信号のうちの１つの光信号に対応する前記切替要求情報を、信号故障を示す情報に設定し、
前記光検出部が、前記受信された光信号のうち、前記代表波長を有する光信号の強度が前記所定の範囲内にないことを検出したとき、
前記切替処理部は、前記切替制御情報において、前記代表波長を有する光信号に対応する前記切替要求情報を、信号故障を示す情報に設定し、前記代表波長を、信号強度が前記所定の範囲内にないことが検出されていない光信号に対応する別の波長に変更し、
前記光送信部は、前記変更された代表波長を有する光信号により、前記切替制御情報を送信する
ことを特徴とする光伝送装置。
【請求項２】
前記光検出部が、前記受信された光信号のうち、少なくとも２つの光信号の強度が前記所定の範囲内にないことを検出したとき、
前記切替処理部は、前記切替制御情報において、前記受信された光信号の全てに対応する前記切替要求情報を、信号故障を示す情報に設定する
ことを特徴とする請求項１記載の光伝送装置。
【請求項３】
前記光検出部が、前記受信された光信号のうち、前記代表波長以外の波長を有する１つの光信号の強度が前記所定の範囲内にないことを検出したとき、
前記切替処理部は、前記切替制御情報において、前記代表波長以外の波長を有する１つの光信号に対応する前記切替要求情報を、信号故障を示す情報に設定する
ことを特徴とする請求項１記載の光伝送装置。
【請求項４】
前記複数の光信号の各々の伝送経路を制御する経路切替部をさらに有し、
前記経路切替部は、前記光検出部によって信号強度が前記所定の範囲内にないことが検出された、前記受信された光信号の１つの光信号について、選択的に前記伝送経路の切替処理を行う
ことを特徴とする請求項１ないし３のいずれか一項記載の光伝送装置。
【請求項５】
リング状に結合された複数のノードを含む光伝送ネットワークにおいて、前記複数のノードの１つに設けられ、複数の異なる波長を有し、多重化された複数の光信号を伝送する光伝送装置であって、
前記複数の光信号を受信し、前記複数の波長のうちの１つの波長に対応する代表波長を有する光信号を、受信する、各々が前記複数の光信号のうちの１つの光信号に対応する、複数の切替要求情報を含む切替制御情報に含まれる代表波長フラグにより選択する光受信部と、
受信された前記切替制御情報に含まれる前記複数の切替要求情報に基づいて、前記複数の光信号の各々の伝送経路を制御する経路切替部と、
前記受信された複数の光信号を送信する光送信部と
を有し、
前記経路切替部は、対応する前記切替要求情報に信号故障を示す情報が設定された光信号について、波長ごとに前記伝送経路の切替処理を行うことを特徴とする光伝送装置。
【請求項６】
リング状に結合された複数のノードを含み、複数の異なる波長を有し、多重化された複数の光信号を伝送する光伝送ネットワークシステムであって、
前記複数のノードのうちの第１ノードに設けられた第１光伝送装置と、
前記第１ノードと結合された第２ノードに設けられ、前記第１光伝送装置と、前記複数の光信号、及び、各々が前記複数の光信号のうちの１つの光信号に対応する、複数の切替要求情報を含む切替制御情報の送受信を行う第２光伝送装置と
を有し、
前記第１光伝送装置は、
前記第２光伝送装置から前記複数の光信号を受信する光受信部と、
受信された前記複数の光信号のレベルを検出する光検出部と、
前記光検出部が、前記受信された光信号のうちの１つの信号の強度が所定の範囲内にないことを検出したとき、前記切替制御情報において、前記受信された光信号のうちの１つに対応する前記切替要求情報を、信号故障を示す情報に設定する切替処理部と、
前記複数の波長のうちの１つに対応する代表波長を有する光信号により、前記代表波長を有する光信号であることを識別可能な代表波長フラグを含む前記切替制御情報を前記第２光伝送装置に送信する光送信部と
を含み、
前記光検出部が、前記受信された光信号のうちの１つの光信号の強度が所定の範囲内にないことを検出したとき、
前記切替処理部は、前記切替制御情報において、前記受信された光信号のうちの１つの光信号に対応する前記切替要求情報を、信号故障を示す情報に設定し、
前記光検出部が、前記受信された光信号のうち、前記代表波長を有する光信号の強度が前記所定の範囲内にないことを検出したとき、
前記切替処理部は、前記切替制御情報において、前記代表波長を有する光信号に対応する前記切替要求情報を、信号故障を示す情報に設定し、前記代表波長を、信号強度が前記所定の範囲内にないことが検出されていない光信号に対応する別の波長に変更し、
前記光送信部は、前記変更された代表波長を有する光信号により、前記切替制御情報を送信し、
前記第２光伝送装置は、
前記切替制御情報に含まれる代表波長フラグにより選択された前記代表波長を有する光信号により、前記第１光伝送装置から前記切替制御情報を受信し、前記第２ノードに関して前記第１ノードと反対側のノードから、前記複数の光信号を受信する光受信部と、
前記切替制御情報に含まれる前記複数の切替要求情報に基づいて、対応する前記切替要求情報に信号故障を示す情報が設定された光信号について、波長ごとに伝送経路の切替処理を行う経路切替部と、
前記切替処理が行われた後の前記伝送経路に基づいて、前記受信された複数の光信号を送信する光送信部と
を含む
ことを特徴とする光伝送ネットワークシステム。
【発明の詳細な説明】
【技術分野】
【０００１】
本発明の実施例の一側面において開示する技術は、光伝送装置及び光伝送ネットワークシステムに関する。
【背景技術】
【０００２】
従来から、デジタル信号の光伝送技術として、ＳＤＨ（Ｓｙｎｃｈｒｏｎｏｕｓ  Ｄｉｇｉｔａｌ  Ｈｉｅｒａｒｃｈｙ）が知られている。また、ＳＤＨを用いたリングネットワークのリングプロテクション技術として、ＩＴＵ‐Ｔ勧告Ｇ．８４１に規定されたＡＰＳ（Ａｕｔｏｍａｔｉｃ  Ｐｒｏｔｅｃｔｉｏｎ  Ｓｗｉｔｃｈｉｎｇ）制御が知られている。
【０００３】
ＡＰＳ制御は、リングネットワークにおいて、ファイバの断線等によって伝送路の一部に障害が発生したときに、その障害を救済する手段を提供する技術である。リングネットワークを構成する各ノードに位置する光伝送装置は、送受信される光信号の一部として、ＡＰＳ制御情報を送受信する。ＡＰＳ制御情報は、リングネットワークにおける障害発生の有無、及び、障害の発生箇所を含む伝送路の両端に位置するノード（切替対象ノード）の情報を含む制御情報である。
【０００４】
各光伝送装置は、そのＡＰＳ情報を含む光信号を受信することにより、障害が発生したこと、及び障害の発生箇所を認識する。また、ＡＰＳ情報によって示された切替対象ノードに位置する光伝送装置は、信号伝送経路についてのリング切替処理を実行する。すなわち、切替対象ノードの一方に設けられた光伝送装置は、受信した光信号の次の送信先ノードが他方の切替対象ノードであった場合、送信先ノードを、受信した光信号の送信元ノードに切り替えるための、伝送経路の折り返し処理、すなわち、リング切替処理を実行する。
【０００５】
一方、近年、伝送されるデジタルデータが大容量化するに伴い、高速伝送技術や、ＷＤＭ（Ｗａｖｅｌｅｎｇｔｈ  Ｄｉｖｉｓｉｏｎ  Ｍｕｌｔｉｐｌｅｘ）等の波長多重化技術の導入が進んでいる。このような光伝送技術の進展に応じて、光信号（デジタル信号）のフォーマットの規定も進んでおり、ＩＴＵ‐Ｔ勧告Ｇ．７０９において、ＯＴＮ（Ｏｐｔｉｃａｌ  Ｔｒａｎｓｐｏｒｔ  Ｎｅｔｗｏｒｋ）と呼ばれる伝送方式が規格化され、１００Ｇｂ伝送に対応したフォーマット定義が規定され、同フォーマットのＯＤＵヘッダおいてもＡＰＳ制御が導入されている。
【０００６】
尚、ＷＤＭネットワークにおいて、波長ごとに構成されるパスについて、光信号の送信に使用する現用パスと、これに対応する予備パスを設けておき、現用パスにおいて障害が検出された場合に、光信号を送信するパスを予備パスに切り替えるパス切替機能を備えた光伝送装置が開示されている（下記特許文献１及び２参照）。
【先行技術文献】
【特許文献】
【０００７】
【特許文献１】特開２０００‐２０９１５２号公報
【特許文献２】特開２０００‐２０９２４４号公報
【発明の概要】
【発明が解決しようとする課題】
【０００８】
上述のＯＴＮを用いたリングネットワークとＷＤＭを組み合わせて、ＯＴＮリングネットワークを構成した場合においても、ファイバの断線等によって伝送路の一部に障害が発生したときに、リングプロテクションを適切に実行することが望まれる。
【０００９】
しかしながら、ＷＤＭを用いた場合には、同一の伝送路において複数の波長に対応する複数の光信号を伝送することができるため、ＯＴＮリングネットワークにおいては、同一の伝送路において複数の波長に対応する複数のリングが形成される。
【００１０】
このため、ＯＴＮリングネットワークに対して、上述のＡＰＳ制御に基づくリングプロテクション技術を単純に適用した場合、複数の波長ごとに、ＡＰＳ制御を行うこととなる結果、光伝送装置の大規模化を招くといった問題があった。
【００１１】
本実施例の一側面においては、ＷＤＭを用いたＯＴＮリングネットワークにおいて、各ノードに位置する光伝送装置によって、装置の大規模化を防止しながら、各波長ごとにリング切替処理を実行することを可能とし、伝送経路のリソースの有効活用を可能とすることを目的とする。
【課題を解決するための手段】
【００１２】
本実施例の一側面における光伝送装置は、リング状に結合された複数のノードを含む光伝達ネットワークにおいて、前記複数のノードの１つに設けられ、複数の異なる波長を有し、多重化された複数の光信号を伝送する光伝送装置であって、前記複数の光信号を受信する光受信部と、受信された前記複数の光信号の強度を検出する光検出部と、各々が前記複数の光信号のうちの１つの光信号に対応する、複数の切替要求情報を含む切替制御情報を設定する切替処理部と、前記複数の波長のうちの１つに対応する代表波長を有する光信号により、前記切替制御情報を送信する光送信部とを含むものであり、前記切替処理部は、前記光検出部が、前記受信された光信号のうちの１つの光信号の強度が所定の範囲内にないことを検出したとき、前記切替制御情報において、前記受信された光信号の１つの光信号に対応する前記切替要求情報を、信号故障を示す情報に設定する。
【発明の効果】
【００１３】
本実施例の一側面における光伝送装置においては、ＷＤＭを用いたＯＴＮリングネットワークにおいて、各ノードに位置する光伝送装置は、装置の大規模化を防止しながら、波長ごとにリング切替処理を実行することができ、伝送経路のリソースを有効に活用することができる。
【図面の簡単な説明】
【００１４】
【図１】ＷＤＭを用いたＯＴＮリングネットワークを示す図である。
【図２】代表波長を有する光信号に対応するＡＰＳ制御情報のみを送受信する装置構成を有する光伝送装置の例を示す図である。
【図３】ノード間の光ファイバケーブルが断線した場合のリング切替処理を説明するための図である。
【図４】光伝送装置２００において代表波長に対応する光送受信器のみに故障が発生した場合を説明するための図である。
【図５】１つのノードの光伝送装置において代表波長に対応する光送受信器のみに故障が発生した場合のリング切替処理を説明するための図である。
【図６】第１実施例に係るＡＰＳ制御情報のフォーマット構成の一例を示す図である。
【図７】ＡＰＳ制御情報を含むＯＴＵフレームの構成例を示す図である。
【図８】第１実施例に係る光伝送装置８００の構成例を示す図である。
【図９】ノードＢとノードＣを接続する光ファイバケーブルの断線が起こった場合のリング切替処理を説明するための図である。
【図１０】ノードＢとノードＣを接続する光ファイバケーブルの断線が起こった場合のＡＰＳ制御情報６００の設定例を説明する図である。
【図１１】ノードＢとノードＣを接続する光ファイバケーブルの断線が起こった場合のリング切替処理のシーケンスの一例を示す図である。
【図１２】ノードＢとノードＣの間において特定の波長λ２を有する光信号に障害が発生した場合のリング切替処理を説明するための図である。
【図１３】ノードＢとノードＣの間において特定の波長λ２を有する光信号に障害が発生した場合のＡＰＳ制御情報６００の設定例を説明する図である。
【図１４】ノードＢとノードＣの間において特定の波長λ２を有する光信号に障害が発生した場合のリング切替処理のシーケンスの一例を示す図である。
【図１５】ノードＢとノードＣの間において代表波長λ１を有する光信号に障害が発生した場合のリング切替処理を説明するための図である。
【図１６】ノードＢとノードＣの間において代表波長λ１を有する光信号に障害が発生した場合のＡＰＳ制御情報１６００の設定例を説明する図である。
【図１７】ノードＢとノードＣの間において代表波長λ１を有する光信号に障害が発生した場合のリング切替処理のシーケンスの一例を示す図である。
【図１８】第１実施例に係る光伝送装置８００の変形例を示す図である。
【図１９】第２実施例に係るＡＰＳ制御情報１９００のフォーマット構成の一例を示す図である。
【図２０】異なる波長に対応する異なるＯＴＮリングについて同時に障害が発生した場合のリング切替処理を説明するための図である。
【図２１】ノードＢとノードＣの間において特定の波長λ２を有する光信号に障害が発生した場合のＡＰＳ制御情報２１００の設定例を説明する図である。
【図２２】ノードＣとノードＤの間において更に、特定の波長λ４を有する光信号に障害が発生した場合のＡＰＳ制御情報２２００の設定例を説明する図である。
【図２３】ノードＢとノードＣの間において特定の波長λ２を有する光信号に障害が発生し、ノードＣとノードＤの間において特定の波長λ４を有する光信号に障害が発生した場合のリング切替処理のシーケンスの一例を示す図である。
【発明を実施するための形態】
【００１５】
以下、本発明の実施例について説明する。
【実施例】
【００１６】
まず、本発明の実施例を説明する前に、本発明の参考例を説明する。
【００１７】
［１．参考例］
図１は、ＷＤＭを用いたＯＴＮリングネットワークを示す図である。図１に示したＯＴＮリングネットワーク１００はノードＡ〜Ｄを含み、各ノードには光伝送装置１０２‐１〜１０２‐４が設けられる。隣接するノードに位置する光伝送装置は互いに、双方向の光信号を伝送する２本の光ファイバケーブルによって接続されている。各々の光ファイバケーブルはＷＤＭを採用するため、互いに異なる波長を有する複数の光信号を同一のケーブル内で伝送する。
【００１８】
図１に示したＯＴＮリングネットワーク１００は、ＷＤＭを採用し、複数の波長に対応する複数のＯＴＮリングを含む。図１において、実線及び長破線の矢印はそれぞれ、矢印が示す方向に、対応する波長の光信号を伝送するリングを示し、実線で示した複数のリングは、各ノードを接続する２本の光ファイバケーブルのうちの一方のケーブル内に形成され、長破線で示した複数のリングは他方の光ファイバケーブル内に形成されるものである。
【００１９】
また、図１に示したＯＴＮリングネットワークは、リング切替方式として、ＢＬＳＲ（Ｂｉｄｉｒｅｃｔｉｏｎａｌ  Ｌｉｎｅ  Ｓｗｉｔｃｈｅｄ  Ｒｉｎｇ）が適用されたものである。
【００２０】
ＯＴＮリングネットワーク１００において、上述のＡＰＳ制御に基づくリングプロテクション技術を実現する場合、各ノードの光伝送装置において、各波長ごとにＡＰＳ制御情報を送受信するような装置構成を採用することが考えられる。しかしながら、このような装置構成は、光信号の波長の数だけＡＰＳ制御を行う処理部を設けることが必要となり、光伝送装置の大規模化を招くため、適切とはいえない。
【００２１】
そこで、異なる波長を有する複数の光信号が伝送される複数のＯＴＮリングが同一の光ファイバケーブル内に形成されることに着目して、同一ケーブル内の複数のＯＴＮリングに対するリング切替処理を一括して管理・実行することとし、各ノードの光伝送装置は、複数の波長の中から選択された１つの波長（代表波長）を有する光信号に対応するＡＰＳ制御情報のみを送受信する装置構成を採用することが考えられる。
【００２２】
図２は、代表波長を有する光信号に対応するＡＰＳ制御情報のみを送受信する装置構成を有する光伝送装置の例を示す図である。
【００２３】
図２に示した光伝送装置２００は、光送受信器２０２‐１〜ｎ（ｎは光信号の波長の数）、ＯＤＵ処理部２０４‐１〜ｎ、ＯＤＵスイッチング部２０６、ＡＰＳ処理部２０８、ＯＤＵ処理部２１０‐１〜ｎ、及び光送受信器２１２‐１〜ｎを含む。光伝送装置２００は、図１に示したＯＴＮリングネットワーク１００における光伝送装置１０２‐１〜４に対応するものである。
【００２４】
光伝送装置２００において、光送受信器２０２‐１〜ｎはそれぞれ、隣接するノードの光伝送装置から、異なる波長を有する複数の光信号を受信する。ＯＤＵ処理部２０４‐１〜ｎはそれぞれ、受信した光信号のＯＴＮフレームに含まれるＯＤＵ（Ｏｐｔｉｃａｌ‐ｃｈａｎｎｅｌ  Ｄａｔａ  Ｕｎｉｔ）を抽出し、抽出したＯＤＵのオーバーヘッド（制御情報）に基づいて、受信した光信号の宛先ノードを判定する。光送受信器２１２‐１〜ｎ及びＯＤＵ処理部２１０‐１〜ｎについても同様である。
【００２５】
ＡＰＳ処理部２０８は、受信した、代表波長を有する光信号のＯＤＵオーバーヘッドに含まれるＡＰＳ制御情報を抽出する。ＡＰＳ処理部２０８は、抽出したＡＰＳ制御情報に基づいて、ＯＴＮリングネットワークにおける障害発生の有無を判定し、障害が発生している場合は、障害の発生箇所を含む伝送路の両端に位置するノード（切替対象ノード）がどのノードであるかを判定する。ＡＰＳ処理部２０８は、ＡＰＳ制御情報によって示される切替対象ノードの一方が自ノード（ＡＰＳ処理部２０８自身を含む光伝送装置２００が位置するノード）である場合には、ＯＤＵスイッチング部２０６に、リング切替処理の実行を指示するリング切替指示を発行する。
【００２６】
ＯＤＵスイッチング部２０６は、ＡＰＳ処理部２０８からのリング切替指示に基づいて、リング切替処理を実行する。すなわち、ＯＤＵスイッチング部２０６は、光信号の次の送信先ノードが他方の切替対象ノードであった場合には、図２の点線で示したように、ＯＤＵ処理部２０４‐１〜ｎからの全ての出力信号について一括して、送信先ノードを、受信した光信号の送信元ノードに切り替えるための、伝送経路の折り返し処理を実行する。
【００２７】
例えば、ＯＴＮリングネットワーク１００において、ノードＢとノードＣを接続する光ファイバケーブルであって、一方向（ノードＢからノードＣへの方向）に光信号を伝送するケーブルが断線したという障害が発生した場合、図３に示したように、複数の波長に対応する複数のＯＴＮリングの全てにおいて障害が発生したことになる。このため、障害発生箇所を含む伝送路の両端に位置するノードＢ及びＣの光伝送装置１０２-２及び１０２‐３において、複数のＯＴＮリングの全てについて一括して、リング切替処理が実行される。
【００２８】
すなわち、図３に示したように、ノードＢに位置する光伝送装置１０２-２では、光信号の次の送信先ノードをノードＣではなくノードＡに切り替えるための、伝送経路の折り返し処理を実行し、ノードＣに位置する光伝送装置１０２‐３では、光信号の次の送信先ノードをノードＢではなくノードＤに切り替えるための、伝送経路の折り返し処理を実行される。
【００２９】
しかしながら、上述した、代表波長を有する光信号に対応するＡＰＳ制御情報のみを送受信する装置構成を有する光伝送装置２００では、ＡＰＳ制御情報がＯＴＵリングネットワーク１００において障害が発生したことを示している場合であっても、上述の光ファイバケーブルの断線のように、全ての波長に対応する全てのリングにおいて障害が一律に発生しているか、あるいは、上記代表波長に対応する特定のリングにおいてのみ、何らかの障害が発生しているのかについては、両者を識別することができない。
【００３０】
例えば、図４に示したように、ＯＴＮリングネットワーク１００内のノードＢに位置する光伝送装置１０２‐２（２００）において、ノードＣ側の、代表波長に対応する光送受信器２１２‐１のみに故障が発生した場合を考える。この場合においても、図５に示したように、ノードＢとノードＣの間では、代表波長を有する光信号の送受信が正常にできなくなるので、ノードＣに位置する光伝送装置１０２‐３は、ノードＢとノードＣの間のパスで障害が発生したと判定することとなる。その結果、ＡＰＳ制御情報には、ＯＴＮリングネットワークにおいて障害が発生したこと、及び、リング切替処理における切替対象ノードがノードＢ及びＣであることを示す情報が含まれることとなる。
【００３１】
それによって、図５に示したように、実際に障害が発生しているのは代表波長に対応するリングのみであり、他の波長に対応するリングにおいては、各ノード間で正常に光信号の送受信が可能であるにもかかわらず、ノードＢ及びＣに位置する光伝送装置１０２-２及び１０２‐３においては、複数のＯＴＮリングの全てについて一括して、リング切替処理が実行されることとなる。
【００３２】
以上のように、代表波長に対応する特定のリングにおいてのみ、何らかの障害が発生している場合には、その障害が発生した特定のリングだけでなく、本来は障害が発生しておらず、正常に光信号の送受信が可能なリングにおいても、リング切替処理が実行されてしまう。その結果、ＯＴＮリングネットワークにおいて、伝送経路のリソースを有効に活用することができず、光信号の伝送が非効率となってしまうという問題があった。
【００３３】
従って、実施例の一側面における光伝送装置においては、装置の大規模化を防止しながら、波長ごとにリング切替処理を実行することを可能とし、伝送経路のリソースの有効活用を可能とすることを目的とする。
【００３４】
［２．第１実施例］
以下、第１実施例に係る光伝送装置及び光伝送ネットワークシステムについて説明する。
【００３５】
［２−１．ＡＰＳ制御情報の構成］
まず、第１実施例に係る光伝送装置が処理するＡＰＳ制御情報の構成例について説明する。
【００３６】
［２−１−１．ＡＰＳ制御情報６００の構成例］
図６は、第１実施例に係るＡＰＳ制御情報６００のフォーマット構成の一例を示す図である。
【００３７】
図６に示したように、ＡＰＳ制御情報６００は、ＷＤＭに適応するため、複数の異なる波長（λ１〜λｎ）の各々に対応して設けられた複数の分割ＡＰＳ制御情報を含む。複数の分割ＡＰＳ制御情報はそれぞれ、Ｒｅｑｕｅｓｔフィールド（バイト１のビット１〜４）及び代表波長フラグフィールド（バイト４のビット８）を含む。
【００３８】
Ｒｅｑｕｅｓｔフィールドは、各々の波長に対応するリング切替処理の切替要求を示す情報を格納する領域である。Ｒｅｑｕｅｓｔフィールドには例えば、リング切替処理の実行を要求する場合には“ＳＦ”（Ｓｉｇｎａｌ  Ｆａｉｌ）が格納され、正常の接続処理の実行を要求する（リング切替処理の実行を要求しない）場合は“ＮＲ”（Ｎｏ  Ｒｅｑｕｅｓｔ）が格納される。
【００３９】
代表波長フラグフィールドは、複数の波長（λ１〜λｎ）の中から代表波長として選択された波長であることを示す情報を格納する領域である。代表波長（図６ではλ１）に対応する分割ＡＰＳ制御情報の代表波長フラグフィールドには、“１”が格納され、代表波長以外の波長（図６ではλ２〜λｎ）に対応する代表波長フラグフィールドには、“０”が格納される。
【００４０】
また、複数の波長の中から選択された１つの波長（選択波長、図６ではλ１）において、分割ＡＰＳ制御情報はさらに、Ｓ／Ｌフィールド（（バイト１のビット５）、Ｓｔａｔｅフィールド（バイト１のビット６〜８）、Ｒｅｑｕｅｓｔｅｄ  Ｎｏｄｅ  ＩＤフィールド（バイト２のビット１〜８）、及びＳｏｕｒｃｅ  Ｎｏｄｅ  ＩＤフィールド（バイト３のビット１〜８）を含む。
【００４１】
Ｓ／Ｌフィールドは、ＡＰＳ制御情報のＯＴＮリングネットワーク内の伝送パスを示す情報を格納する領域であり、伝送ルートがＯＴＮリングネットワーク内の短パス（Ｓｈｏｒｔ  Ｐａｔｈ）であるか、あるいは、長パス（Ｌｏｎｇ  Ｐａｔｈ）であるかを示す情報が格納される。短パスとは、ＡＰＳ制御情報の発信元ノードと宛先ノードを他のノードを経由することなく接続するパスであり、ＯＴＮリングネットワークのより短い方のパスである。長パスとは、ＡＰＳ制御情報の発信元ノードと宛先ノードを他のノードを経由して接続するパスであり、ＯＴＮリングネットワークのより長い方のパスである。
【００４２】
Ｓｔａｔｅフィールドは、リング切替処理における切替状態を示す情報を格納する領域であり、アイドル（Ｉｄｌｅ）、ブリッジ（Ｂｒｉｄｇｅ）、スイッチ（Ｓｗｉｔｃｈ）などの状態を示す情報が格納される。
【００４３】
Ｒｅｑｕｅｓｔｅｄ  Ｎｏｄｅ  ＩＤフィールドは、ＡＰＳ制御情報の宛先のノードを示す識別情報を格納する領域であり、リング切替処理における一方の切替対象ノードを示す識別情報が格納される。
【００４４】
Ｓｏｕｒｃｅ  Ｎｏｄｅ  ＩＤフィールドは、ＡＰＳ制御情報の発信先のノードを示す識別情報を格納する領域であり、リング切替処理における他方の切替対象ノードを示す識別情報が格納される。
【００４５】
選択波長（λ１）においては、分割ＡＰＳ制御情報の残りの領域（バイト４のビット１〜８）はＲｅｓｅｒｖｅｄフィールドである。Ｒｅｓｅｒｖｅｄフィールドは現在未使用の領域であるが、今後の使用のために予約された領域である。
【００４６】
また、選択された波長（λ１）以外の波長（図６ではλ２〜λｎ）においては、分割ＡＰＳ制御情報の残りの領域（バイト１のビット５〜８、バイト２〜４の全ビット）がＲｅｓｅｒｖｅｄフィールドとなる。
【００４７】
以上説明したように、各々の波長ごとにリング切替処理の切替要求を示す情報を格納するＡＰＳ制御情報６００を、各ノードの光伝送装置の間で送受信するようにしたので、各ノードの光伝送装置において、各々の波長ごとにリング切替処理を選択的に実行することができる。このため、障害が発生した特定のＯＴＮリングにおいて選択的にリング切替処理を実行することができるので、ＯＴＮリングネットワークにおける伝送経路のリソースを有効に活用することができる。また、各ノードの光伝送装置において、不要なリング切替処理が発生するのを防止することができるので、各ノードにおいて、リング切替処理に伴ってリングが遮断される時間が発生するのを最小限に抑えることができる。
【００４８】
［２−１−２．ＯＴＮフレームの構成例］
図６に示したＡＰＳ制御情報６００は、複数の波長の中から選択された１つの波長（代表波長）を有する光信号のＯＴＮフレームに格納される。ＡＰＳ制御情報６００は、上述のように、複数の波長（λ１〜λｎ）に対応する複数の分割ＡＰＳ制御情報を含むものであるが、その送信は代表波長を有する１つの光信号によって行われる。すなわち、ＡＰＳ制御情報６００は、代表波長を有する１つの光信号によって、ＯＴＮリングネットワーク内の各ノードに位置する光伝送装置に送信される。
【００４９】
また、ＯＴＮフレームはマルチフレーム構成を採用しており、ＡＰＳ制御情報６００は、各波長ごとの分割ＡＰＳ制御情報を１つの単位として、マルチフレーム構成の複数のＯＴＮフレームに含まれるＯＤＵオーバーヘッドに、分散されて格納される。そして、ＡＰＳ制御情報６００は、各々の分割ＡＰＳ制御情報が格納されたＯＴＮフレームを含む複数の光信号を時分割で送信することにより、ＯＴＮリングネットワーク内の各ノードに位置する光伝送装置に送信される。
【００５０】
図７は、ＡＰＳ制御情報６００を含むＯＴＮフレームの構成例を示す図である。図７に示したように、代表波長の光信号に含まれるＯＴＮフレームのフレーム構成（図７の上段）においては、ＯＤＵオーバーヘッド（ＯＤＵｋ  ＯＨ）に、ＡＰＳ制御情報６００を構成する１つの分割ＡＰＳ制御情報が挿入される。図７においては、ＡＰＳ制御情報６００の中の、波長λ１に対応する分割ＡＰＳ制御情報がＯＤＵオーバーヘッド内の所定のフィールドに格納された例（図７の下段）が示されている。
【００５１】
尚、図６に示したＡＰＳ制御情報６００は、複数のＯＴＮフレームから、それぞれ対応する分割ＡＰＳ制御情報を抽出し、複数の抽出された分割ＡＰＳ制御情報を結合させることにより取得することができる。分割ＡＰＳ制御情報はマルチフレーム構成を有する複数のＯＴＮフレーム内に分散されているためである。
【００５２】
以上説明したように、波長ごとにリング切替処理の切替要求を示す情報を格納するＡＰＳ制御情報６００を、代表波長を有する１つの光信号によって、各ノードの光伝送装置の間で送受信するようにしたので、複数の光信号の波長の数だけ個別にＡＰＳ処理部を設ける必要がなく、光伝送装置の大規模化を抑制することができる。
【００５３】
［２−２．光伝送装置の構成及び動作］
次に、第１実施例に係る光伝送装置の構成例及び動作例について説明する。
【００５４】
図８は、第１実施例に係る光伝送装置８００の構成例を示す図である。
【００５５】
図８に示した光伝送装置８００は、光送受信器８０２‐１〜ｎ（ｎは光信号の波長の数）、ＯＤＵ処理部８０４‐１〜ｎ、ＯＤＵスイッチング部８０６、ＡＰＳ処理部８０８、ＯＤＵ処理部８１０‐１〜ｎ、光送受信器８１２‐１〜ｎ、ＡＰＳ抽出・挿入部８１４、８１６、及び光信号検出器８１８‐１〜ｎ、８２０‐１〜ｎを含む。光伝送装置８００は、図１に示したＯＴＮリングネットワーク１００における光伝送装置１０２‐１〜４に対応するものである。
【００５６】
［２−２−１．他のノードからＡＰＳ制御情報を受信した場合の動作］
光送受信器８０２‐１〜ｎはそれぞれ、ＷＤＭを採用するＯＴＮリングネットワーク内の隣接ノードに位置する光伝送装置から、異なる波長（λ１〜λｎ）を有し、多重化された複数の光信号を受信する。ここで、複数の光信号はそれぞれ、マルチフレーム構成のＯＴＮフレームを含むものである。また、代表波長を有する光信号は、図６及び図７に示したように、ＡＰＳ制御情報６００を構成する各波長ごとの分割ＡＰＳ制御情報を、そのＯＤＵオーバーヘッドに含む。
【００５７】
光送受信器８０２‐１〜ｎはそれぞれ、受信した光信号を電気信号に変換して、ＯＴＮフレーム信号として、対応するＯＤＵ処理部８０４‐１〜ｎに出力する。また、光送受信器８０２‐１〜ｎはそれぞれ、ＯＤＵ処理部８０４‐１〜ｎからＯＴＮフレーム信号を受けとり、受けとった電気信号を異なる波長を有する複数の光信号に変換して、隣接ノードに位置する光伝送装置に送信する。
【００５８】
ＯＤＵ処理部８０４‐１〜ｎはそれぞれ、対応する光送受信器８０２‐１〜ｎからＯＴＮフレーム信号を受けとり、受けとった信号のＯＴＮフレームに含まれるＯＤＵを抽出する。ＯＤＵ処理部８０４‐１〜ｎは、抽出したＯＤＵのオーバーヘッド（制御情報）に基づいて、受信した光信号の宛先ノードを判定する。また、ＯＤＵ処理部８０４‐１〜ｎはそれぞれ、ＡＰＳ抽出・挿入部８１４からＯＴＮフレーム信号を受けとり、対応する光送受信器８０２‐１〜ｎに供給する。
【００５９】
ＡＰＳ抽出・挿入部８１４は、ＯＤＵ処理部８０４‐１〜ｎからＯＴＮフレーム信号を受けとり、受けとったＯＴＮフレーム信号をＯＤＵスイッチング部８０６に出力する。加えて、ＡＰＳ抽出・挿入部８１４は、代表波長に対応するＯＴＮフレーム信号のＯＴＮフレームにおいては、そのＯＤＵオーバーヘッドに含まれる分割ＡＰＳ制御情報を抽出する。ＡＰＳ抽出・挿入部８１４は、抽出した分割ＡＰＳ制御情報をＡＰＳ処理部８０８に供給する。また、ＡＰＳ抽出・挿入部８１４は、ＯＤＵスイッチング部８０６からＯＴＮフレーム信号を受けとり、受けとったＯＴＮフレーム信号を、対応するＯＤＵ処理部８０４‐１〜ｎに出力する。
【００６０】
ＡＰＳ処理部８０８は、ＡＰＳ抽出・挿入部８１４から、抽出された分割ＡＰＳ制御情報を受けとる。受信される光信号はマルチフレーム構成のＯＴＮフレームを有するため、ＡＰＳ処理部８０８は、１つのＡＰＳ制御情報６００を構成する複数の分割ＡＰＳ制御情報を時分割で、ＡＰＳ抽出・挿入部８１４から受けとる。ＡＰＳ処理部８０８は、受けとった複数の分割ＡＰＳ制御情報を結合することにより、図６に示したようなＡＰＳ制御情報６００を生成する。
【００６１】
ＡＰＳ処理部８０８は、生成したＡＰＳ制御情報６００に基づいて、ＯＴＮリングネットワークにおける障害発生の有無を、各波長ごとに判定する。すなわち、ＡＰＳ処理部８０８は、ＡＰＳ制御情報６００において、各波長ごとのＲｅｑｕｅｓｔフィールドに“ＳＦ”（Ｓｉｇｎａｌ  Ｆａｉｌ）が格納されているか否かを確認する。
【００６２】
ＡＰＳ処理部８０８は、障害が発生したＯＴＮリングの波長、すなわち、対応するＲｅｑｕｅｓｔフィールドに“ＳＦ”が格納された波長が存在する場合は、障害の発生箇所を含む伝送路の両端に位置するノード（切替対象ノード）がどのノードであるかを判定する。すなわち、ＡＰＳ処理部８０８は、選択波長（λ１）に対応するＲｅｑｕｅｓｔｅｄ  Ｎｏｄｅ  ＩＤフィールド及びＳｏｕｒｃｅ  Ｎｏｄｅ  ＩＤフィールドに格納される切替対象ノードの識別情報を確認する。
【００６３】
ＡＰＳ処理部８０８は、ＡＰＳ制御情報６００によって示される切替対象ノードの一方が自ノード（ＡＰＳ処理部８０８自身を含む光伝送装置８００が位置するノード）である場合には、ＯＤＵスイッチング部８０６に、障害が発生したＯＴＮリングの波長について、リング切替処理の実行を指示するリング切替指示を発行する。
【００６４】
ＯＤＵスイッチング部８０６は、ＡＰＳ処理部８０８からのリング切替指示に基づいて、障害が発生したＯＴＮリングについて選択的に、リング切替処理を実行する。すなわち、ＯＤＵスイッチング部８０６は、受信した光信号の次の送信先ノードが他方の切替対象ノードであった場合には、図８の点線で示したように、ＯＤＵ処理部８０４‐１〜ｎの中で、障害が発生したＯＴＮリングの波長に対応するＯＤＵ処理部から出力されたＯＴＮフレーム信号について選択的に、送信先ノードを、受信した光信号の送信元ノードに切り替えるための、伝送経路の折り返し処理を実行する。
【００６５】
ＯＤＵスイッチング部８０６は、ＡＰＳ処理部８０８からのリング切替指示に基づいて、ＡＰＳ抽出・挿入部８１４からＯＴＮフレーム信号を受けとった後、受けとったＯＴＮフレーム信号が障害が発生したＯＴＮリングの波長に対応するＯＤＵ処理部からの出力信号であった場合には、そのＯＴＮフレーム信号を再び、ＡＰＳ抽出・挿入部８１４に出力する。
【００６６】
また、ＯＤＵスイッチング部８０６は、ＡＰＳ処理部８０８からのリング切替指示を受けていない場合には、ＡＰＳ抽出・挿入部８１４から受けとったＯＴＮフレーム信号を、そのままＡＰＳ抽出・挿入部８１６に出力する。
【００６７】
尚、ＯＤＵスイッチング部８０６は、ＯＤＵ処理部８０４‐１〜ｎによる判定の結果、受信した光信号の宛先ノードがＯＴＮリングネットワーク外部のサブネットークに属するノードである場合には、不図示の光送受信器によって、受けとったＯＴＮフレーム信号を電気信号から光信号に変換した後、対応するＯＴＮフレームを有する光信号をそのサブネットワークに送信する。
【００６８】
ＡＰＳ抽出・挿入部８１６、ＯＤＵ処理部８１０‐１〜ｎ、光送受信器８１２‐１〜ｎ、及び光信号検出器８２０‐１〜ｎの機能及び動作については、光信号の送受信の対象となるノードが異なる点を除いて、それぞれＡＰＳ抽出・挿入部８１４、ＯＤＵ処理部８０４‐１〜ｎ、光送受信器８０２‐１〜ｎ、及び光信号検出器８１８‐１〜ｎと同様である。
【００６９】
以上説明したように、光伝送装置８００においては、ＡＰＳ抽出・挿入部８１４、８１６において、代表波長に対応するＯＴＮフレームに含まれる分割ＡＰＳ制御情報を抽出し、ＡＰＳ処理部８０８において、抽出した分割ＡＰＳ制御情報を結合することによりＡＰＳ制御情報６００を生成するようにしたので、複数の波長（λ１〜λｎ）の数だけ個別にＡＰＳ処理部を設ける必要がなく、光伝送装置の大規模化を抑制することができる。
【００７０】
また、光伝送装置８００では、ＡＰＳ処理部８０８において、生成したＡＰＳ制御情報６００に基づいて、複数の波長（λ１〜λｎ）の中から、障害が発生したＯＴＮリングの波長を特定することができるので、ＯＤＵスイッチング部８０６において、障害が発生した特定のＯＴＮリングについて選択的に、リング切替処理を実行することができる。このため、光伝送装置８００によれば、障害が発生しておらず、正常に光信号の送受信が可能なリングにおいてリング切替処理が行われるのを防止することができるので、ＯＴＮリングネットワークにおける伝送経路のリソースを有効に活用することができる。また、不要なリング切替処理の発生を防止することができるので、各ノードにおいて、リング切替処理に伴ってリングが遮断される時間が発生するのを最小限に抑えることができる。
【００７１】
［２−２−２．自ノードで障害の発生を検出した場合の動作］
一方、光信号検出器８１８‐１〜ｎはそれぞれ、光送受信器８０２‐１〜ｎから、対応する光信号を受けとる。光信号検出器８１８‐１〜ｎは、各波長ごとに、受けとった光信号について一定期間内の平均強度を検出する。
【００７２】
光信号検出器８１８‐１〜ｎはそれぞれ、検出された光信号の平均強度が予め定められた範囲内にない場合、その光信号の波長に対応するＯＴＮリングにおいて、自ノード（光信号検出器８１８‐１〜ｎ自身を含む光伝送装置８００が位置するノード）と、その光信号の送信元のノードとの間のパスで障害が発生していると判定し、自ノードとその送信元ノードを、リング切替処理における切替対象ノードであると判定する。光信号検出器８１８‐１〜ｎはそれぞれ、障害が発生したことを検出した場合、障害アラーム信号をＡＰＳ処理部８０８に出力する。
【００７３】
ＡＰＳ処理部８０８は、光信号検出器８１８‐１〜ｎの各々から障害アラーム信号を受けとり、受けとった障害アラーム信号に基づいて、各波長ごとに、対応するＯＴＮリングにおいて障害が発生しているか否かを判定する。ＡＰＳ処理部８０８は、ある波長に対応するＯＴＮリングにおいて障害が発生したと判定した場合、図６に示したフォーマット構成を有するＡＰＳ制御情報６００内の各フィールドにおいて、発生した障害の状況に応じた設定情報を格納することにより、送信用のＡＰＳ制御情報６００を生成する。
【００７４】
ＡＰＳ処理部８０８は、例えば、障害が発生したＯＴＮリングの波長に対応するＲｅｑｕｅｓｔフィールドに“ＳＦ”（Ｓｉｇｎａｌ  Ｆａｉｌ）を格納し、障害が発生したＯＴＮリングの波長以外の波長に対応するＲｅｑｕｅｓｔフィールドには“ＮＲ”（Ｎｏ  Ｒｅｑｕｅｓｔ）を格納する。上述のように、ＳＦはリング切替処理を要求するものであり、ＮＲは正常の接続処理を要求するものである。
【００７５】
ＡＰＳ処理部８０８は、Ｓｏｕｒｃｅ  Ｎｏｄｅ  ＩＤフィールドに、自ノード（ＡＰＳ処理部８０８自身を含む光伝送装置８００が位置するノード）の識別情報を格納し、Ｒｅｑｕｅｓｔｅｄ  Ｎｏｄｅ  ＩＤフィールドに、光信号検出器８１８‐１〜ｎが受けとる光信号の送信元ノードの識別情報を格納する。Ｓｏｕｒｃｅ  Ｎｏｄｅ  ＩＤフィールド及びＲｅｑｕｅｓｔｅｄ  Ｎｏｄｅ  ＩＤフィールドには、上述のように、リング切替処理における切替対象ノードの識別情報が格納される。
【００７６】
また、ＡＰＳ処理部８０８は、障害が発生したＯＴＮリングの波長が代表波長である場合、障害が発生していない、正常なＯＴＮリングの波長を新たに代表波長として選択し、代表波長を、障害が発生したＯＴＮリングに対応する現在の波長から、新たに選択した別の波長に変更する。ＡＰＳ制御情報６００の送信は、代表波長を有する１つの光信号によって行われるので、代表波長に対応するＯＴＮリングに障害が発生した場合は、ＡＰＳ制御情報６００をＯＴＮリングネットワーク内の各ノードに適切に送信するために、障害が発生していない、正常なＯＴＮリングの波長を代表波長として新たに確保する必要があるからである。
【００７７】
ＡＰＳ処理部８０８は、代表波長を変更したとき、図６に示したＡＰＳ制御情報６００内の代表波長フラグフィールドの設定情報を更新する。ＡＰＳ処理部８０８は、新たに代表波長として選択した波長に対応する代表波長フラグフィールドに“１”を格納し、他の波長に対応する代表波長フラグフィールドに“０”を格納する。
【００７８】
ＡＰＳ処理部８０８は、適切な設定情報が格納、更新された後のＡＰＳ制御情報６００を、ＡＰＳ抽出・挿入部８１４及び８１６に出力する。このとき、ＡＰＳ処理部８０８は、ＡＰＳ制御情報６００を、各波長ごとの分割ＡＰＳ制御情報に分割した状態で出力する。
【００７９】
ＡＰＳ抽出・挿入部８１４は、ＡＰＳ処理部８０８から、１つのＡＰＳ制御情報６００を構成する複数の分割ＡＰＳ制御情報を受けとる。上述のように、ＡＰＳ制御情報６００は、分割ＡＰＳ制御情報ごとに、マルチフレーム構成の複数のＯＴＮフレームに分散されて格納され、それら複数のＯＴＮフレームを含む複数の光信号によって時分割で送信される。そのため、ＡＰＳ抽出・挿入部８１４は、代表波長に対応する複数のＯＴＮフレーム信号のＯＴＮフレームにおいて、そのＯＤＵオーバーヘッドに、受けとった複数の分割ＡＰＳ制御情報を順次挿入していく。ＡＰＳ抽出・挿入部８１４は、分割ＡＰＳ制御情報を挿入したＯＴＮフレーム信号を、代表波長に対応するＯＤＵ処理部８０４‐１〜ｎに順次出力する。
【００８０】
ＡＰＳ抽出・挿入部８１６についても、その機能及び動作はＡＰＳ抽出・挿入部８１４と同様である。
【００８１】
代表波長λ１に対応する光送受信器８０２‐１及び８１２‐１はそれぞれ、ＯＤＵ処理部８０４‐１及び８１０−１から、対応するＯＴＮフレーム信号を順次受けとり、受けとった電気信号を、代表波長λ１を有する光信号に順次変換して出力する。これにより、ＡＰＳ制御情報６００が、代表波長λ１を有する光信号によって、隣接ノードに位置する光伝送装置に送信される。
【００８２】
上述のＡＰＳ制御情報の生成及び挿入処理に加えて、ＡＰＳ処理部８０８は、ある波長に対応するＯＴＮリングにおいて障害が発生したと判定した場合、ＯＤＵスイッチング部８０６に、障害が発生したＯＴＮリングの波長について、リング切替処理の実行を指示するリング切替指示を発行する。
【００８３】
ＯＤＵスイッチング部８０６は、ＡＰＳ処理部８０８からのリング切替指示に基づいて、障害が発生したＯＴＮリングについて選択的に、リング切替処理を実行する。すなわち、ＯＤＵスイッチング部８０６は、光信号検出器８１８‐１〜ｎにおいて障害の発生が検出された場合は、図８の点線で示したように、ＯＤＵ処理部８１０‐１〜ｎの中で、障害が発生したＯＴＮリングの波長に対応するＯＤＵ処理部から出力されたＯＴＮフレーム信号について選択的に、伝送経路の折り返し処理を実行する。また、ＯＤＵスイッチング部８０６は、光信号検出器８２０‐１〜ｎにおいて障害の発生が検出された場合は、図８の点線で示したように、ＯＤＵ処理部８０４‐１〜ｎの中で、障害が発生したＯＴＮリングの波長に対応するＯＤＵ処理部から出力されたＯＴＮフレーム信号について選択的に、伝送経路の折り返し処理を実行する。
【００８４】
以上説明したように、光伝送装置８００においては、光信号検出器８１８‐１〜ｎによって、複数の波長（λ１〜λｎ）に対応する複数の光信号について個別に障害が発生しているか否かを判定することにより、ＡＰＳ処理部８０８において、複数の波長の中から、障害が発生したＯＴＮリングの波長を特定し、その上でＡＰＳ制御情報６００を構成する分割ＡＰＳ制御情報を順次生成するようにしたので、複数の波長（λ１〜λｎ）の数だけ個別にＡＰＳ処理部を設ける必要がなく、光伝送装置の大規模化を抑制することができる。
【００８５】
また、光伝送装置８００においては、ＯＤＵスイッチング部８０６において、障害が発生した特定のＯＴＮリングについて選択的に、リング切替処理を実行することができるので、障害が発生しておらず、正常に光信号の送受信が可能なリングにおいてリング切替処理が行われるのを防止することができる。このため、光伝送装置８００によれば、ＯＴＮリングネットワークにおける伝送経路のリソースを有効に活用することができる。また、不要なリング切替処理の発生を防止することができるので、各ノードにおいて、リング切替処理に伴ってリングが遮断される時間が発生するのを最小限に抑えることができる。
【００８６】
また、光伝送装置８００においては、障害が発生したＯＴＮリングの波長が代表波長である場合は、代表波長を、障害が発生していない、正常なＯＴＮリングの波長を変更する処理を実行するので、代表波長に対応するＯＴＮリングに障害が発生した場合でも、リング切替処理の切替要求を示す情報を格納するＡＰＳ制御情報６００を、各ノードの光伝送装置の間で確実に送受信することができる。このため、各ノードの光伝送装置は常に各波長ごとにリング切替処理の切替要求の有無を正確に認識することができる。
【００８７】
［２−３．隣接ノード間において複数の波長を有する光信号に障害が発生した場合のリング切替処理］
次に、ＯＴＮリングネットワーク１００において実行されるリング切替処理について、いくつかの事例に分けて説明する。
【００８８】
以下、ノードＢとノードＣの間で光ファイバケーブルの切断という障害が発生したという事例に基づいて、隣接ノード間において複数の波長を有する光信号に障害が発生した場合のリング切替処理の動作例を説明するが、その他の要因で同様の障害が発生した場合も、リング切替処理の動作は同様である。例えば、ノードＢに位置する光伝送装置８００において、ノードＣ側の、２以上の波長に対応する光送受信器が同時に故障した場合等が、その他の要因として考えられる。
【００８９】
［２−３‐１．光伝送装置の処理］
図９は、ノードＢとノードＣを接続する光ファイバケーブルの断線が起こった場合のリング切替処理を説明するための図である。
【００９０】
図９に示した例は、ＯＴＮリングネットワーク１００において、ノードＢとノードＣを接続する光ファイバケーブルであって、ノードＢからノードＣへの方向に光信号を伝送するケーブルが断線したという障害が発生した事例を示すものである。ＯＴＮリングネットワーク１００の各ノードには、図８に示した光伝送装置８００が設けられている。また、各ノードの光伝送装置８００は、複数の波長（λ１〜λｎ）の中から代表波長として波長λ１を用い、代表波長λ１を有する光信号によって相互に、図６に示したＡＰＳ制御情報６００のやり取りをしている。
【００９１】
この場合、ノードＣに位置する光伝送装置８００においては、以下のＡＰＳ制御信号の送信処理と、リング切替処理が実行される。
【００９２】
ノードＢからノードＣへの方向に光信号を伝送するケーブルが断線しているため、ノードＣに位置する光伝送装置８００においては、ノードＢ側の光送受信器８０２‐１〜ｎの全てがノードＢに位置する光伝送装置から正常に、全ての波長（λ１〜λｎ）の光信号を受信することができない。
【００９３】
そのため、光信号検出器８１８‐１〜ｎは、全ての波長の光信号について、予め定められた範囲内にない平均強度しか検出することができない。その結果、光信号検出器８１８‐１〜ｎは、全ての波長の光信号について、障害が発生したことを示す障害アラーム信号をＡＰＳ処理部８０８に出力する。
【００９４】
ＡＰＳ処理部８０８は、光信号検出器８１８‐１〜ｎから障害アラーム信号を受けとる。ＡＰＳ処理部８０８は、受けとった障害アラーム信号に基づいて、全ての波長に対応するＯＴＮリングにおいてノードＢとＣの間で障害が発生したと判定し、図６に示したフォーマット構成を有するＡＰＳ制御情報６００内の各フィールドにおいて、発生した障害の状況に応じた設定情報を格納する。
【００９５】
ここで、ＡＰＳ制御情報６００の設定情報について説明する。
【００９６】
図１０は、ノードＢとノードＣを接続する光ファイバケーブルの断線が起こった場合のＡＰＳ制御情報１０００の設定例を説明する図である。
【００９７】
ＡＰＳ処理部８０８は、例えば、全ての波長（λ１〜λｎ）に対応するＲｅｑｕｅｓｔフィールドに“ＳＦ”（Ｓｉｇｎａｌ  Ｆａｉｌ）を格納する。上述のように、ＳＦはリング切替処理の要求を示す情報である。
【００９８】
あるいは、代わりに、ＡＰＳ処理部８０８は、例えば、選択波長（図６に示したＡＰＳ制御情報１０００ではλ１）に対応するＲｅｑｕｅｓｔフィールドに“ＳＦ‐ａｌｌ”（Ｓｉｇｎａｌ  Ｆａｉｌ‐ａｌｌ）を格納するようにしてもよい。ＳＦ−ａｌｌは、全ての波長に対応するＯＴＮリングについてリング切替処理の要求を示す情報である。
【００９９】
更に、ＡＰＳ処理部８０８は、ノードＢとノードＣの間で障害が発生しているので、リング切替処理における切替対象ノードとして、Ｓｏｕｒｃｅ  Ｎｏｄｅ  ＩＤフィールドに、自ノード（ＡＰＳ処理部８０８自身を含む光伝送装置８００が位置するノード）であるノードＣを示す識別情報を格納し、Ｒｅｑｕｅｓｔｅｄ  Ｎｏｄｅ  ＩＤフィールドに、もう一方の切替対象ノードであるノードＢの識別情報を格納する。
【０１００】
また、図９に示した例では、代表波長として波長λ１が用いられているため、ＡＰＳ処理部８０８は、波長λ１に対応する代表波長フラグフィールに“１”が格納し、波長λ１以外の波長の代表波長フラグフィールドには“０”を格納する。
【０１０１】
また、ＡＰＳ処理部８０８は、ノードＣ（自ノード）から、図９の長破線の矢印で示した方向に向けて送信するＡＰＳ制御情報１０００においては、Ｓ／Ｌフィールドに“Ｓ”を格納する。ＡＰＳ制御情報１０００の宛先ノードであるノードＢと発信元ノードであるノードＣの間には他のノードは存在せず、ＡＰＳ制御情報の伝送パスが短パス（Ｓｈｏｒｔ  Ｐａｔｈ）となるためである。一方、ＡＰＳ処理部８０８は、ノードＣ（自ノード）から、図９の実線の矢印で示した方向に向けて送信するＡＰＳ制御情報１０００においては、Ｓ／Ｌフィールドに“Ｌ”を格納する。ＡＰＳ制御情報１０００の宛先ノードであるノードＢと発信元ノードであるノードＣの間にはノードＤ及びＡは存在し、ＡＰＳ制御情報の伝送パスが長パス（Ｌｏｎｇ  Ｐａｔｈ）となるためである。
【０１０２】
また、ＡＰＳ処理部８０８は、切替対象ノードにおけるＯＴＮリングの切替状態に応じて、“Ｂｒ”（Ｂｒｉｄｇｅ）又は“Ｓｗ”（Ｓｗｉｔｃｈ）などの状態を示す情報を格納する。
【０１０３】
ここで、図９に戻って、ノードＣに位置する光伝送装置８００において実行される処理の説明を続ける。
【０１０４】
ＡＰＳ処理部８０８は、適切な設定情報が格納された後のＡＰＳ制御情報１０００を、ＡＰＳ抽出・挿入部８１４及び８１６に出力する。代表波長λ１に対応する光送受信器８０２‐１及び８１２‐１はそれぞれ、ＯＤＵ処理部８０４‐１及び８１０−１から、対応するＯＴＮフレーム信号を受けとり、受けとった電気信号を、代表波長λ１を有する光信号に変換して出力する。これにより、光伝送装置８００は、代表波長λ１を有する光信号によって、図１０に示したＡＰＳ制御情報１０００を隣接するノードＢ及びＤに位置する光伝送装置に送信する。
【０１０５】
加えて、ＡＰＳ処理部８０８は、ＯＤＵスイッチング部８０６に、全ての波長について、リング切替処理の実行を指示するリング切替指示を発行する。
【０１０６】
ＯＤＵスイッチング部８０６は、ＡＰＳ処理部８０８からのリング切替指示に基づいて、全てのＯＴＮリングについて、リング切替処理を実行する。すなわち、ＯＤＵスイッチング部８０６は、ノードＤ側のＯＤＵ処理部８１０‐１〜ｎから出力された全てのＯＴＮフレーム信号について、伝送経路の折り返し処理を実行する。これにより、ノードＣに位置する光伝送装置８００は、複数のＯＴＮリングの全てについて一括して、光信号の次の送信先ノードをノードＢではなくノードＤに切り替えるための、伝送経路の折り返し処理を実行する。
【０１０７】
一方、ノードＢに位置する光伝送装置８００においては、以下のリング切替処理が実行される。
【０１０８】
ノードＢに位置する光伝送装置８００においては、例えば、光送受信器８１２−１は、ノードＣから短パスを介して（他のノードを介さずに）代表波長λ１を有する光信号を受信することにより、ＡＰＳ制御情報１０００を受信する。更に、光送受信器８０２‐１は、ノードＣから長パスを介して（ノードＤ及びＡを介して）代表波長λ１を有する光信号を受信することにより、図１０に示したＡＰＳ制御情報１０００を受信する。ＡＰＳ処理部８０８は、受けとったＡＰＳ制御情報１０００に基づいて、ＯＴＮリングネットワーク１００において全ての波長について障害が発生したことを認識し、かつ、その障害が自ノード（ノードＢ）と隣接ノードＣの間で発生しており、リング切替処理における切替対象ノードとして自ノードが指定されていることを認識する。その結果、ＡＰＳ処理部８０８は、ＯＤＵスイッチング部８０６に、全ての波長について、リング切替処理の実行を指示するリング切替指示を発行する。
【０１０９】
ＯＤＵスイッチング部８０６は、ＡＰＳ処理部８０８からのリング切替指示に基づいて、全てのＯＴＮリングについて、リング切替処理を実行する。すなわち、ＯＤＵスイッチング部８０６は、ノードＡ側のＯＤＵ処理部８０４‐１〜ｎから出力された全てのＯＴＮフレーム信号について、伝送経路の折り返し処理を実行する。これにより、ノードＢに位置する光伝送装置８００は、複数のＯＴＮリングの全てについて一括して、光信号の次の送信先ノードをノードＣではなくノードＡに切り替えるための、伝送経路の折り返し処理を実行する。
【０１１０】
以上説明したように、隣接ノード間において複数の波長を有する光信号に障害が発生した場合には、その隣接ノードに位置する光伝送装置においては、全ての波長について障害が発生したことを示すＡＰＳ制御情報を送信し、さらに複数のＯＴＮリングの全てについて一括してリング切替処理を実行するので、障害を適切に救済することができる。
【０１１１】
［２−３‐２．リング切替処理のシーケンス］
次に、リング切替処理のシーケンスの一例を説明する。
【０１１２】
図１１は、ノードＢとノードＣを接続する光ファイバケーブルの断線が起こった場合のリング切替処理のシーケンスの一例を示す図である。
【０１１３】
図１１に示したように、ＯＴＮリングネットワーク１００においては、いずれのノード間においても障害が発生していない期間（時刻ｔ１より前）は、各光伝送装置８００は、隣接ノード間において相互に、全ての波長（λ１〜λｎ）に対応するＲｅｑｕｅｓｔフィールドに“ＮＲ”（Ｎｏ  Ｒｅｑｕｅｓｔ）が格納されたＡＰＳ制御情報を送信し合う。上述のように、ＮＲは、正常の接続処理の要求を示す情報である。これにより、各ノードの光伝送装置はリング切替処理を実行せず、正常の接続処理を実行する。
【０１１４】
これに対し、時刻ｔ１において、ノードＢとノードＣを接続する光ファイバケーブルの断線等の障害が発生した場合、時刻ｔ２において、ノードＣに位置する光伝送装置８００は、図９において説明したように、全ての波長に対応するＯＴＮリングにおいてノードＢとＣの間で障害が発生したと判定し（ＳＦ  ｄｅｔｅｃｔ）、自ノード（ノードＣ）とノードＢがリング切替処理における切替対象ノードであると判定する。その後、ノードＣの光伝送装置８００は、図１０に示したように、ＡＰＳ制御情報６００内の各フィールドに適切な設定情報を格納する。
【０１１５】
次に、時刻ｔ３において、ノードＣの光伝送装置８００は、代表波長λ１を有する光信号によって、図１０に示したＡＰＳ制御情報１０００を隣接するノードＢ及びＤに位置する光伝送装置に送信する。その後、ノードＣの光伝送装置８００は、複数のＯＴＮリングの全てについて一括して、光信号の次の送信先ノードをノードＢではなくノードＤに切り替えるための、伝送経路の折り返し処理を実行し、それによって複数のＯＴＮリングの全てについて一括してリング切替処理を実行する。
【０１１６】
次に、時刻ｔ４において、ノードＢの光伝送装置８００は、代表波長λ１を有する光信号によって、ノードＣから、図１０に示したＡＰＳ制御情報１０００を受信する。ノードＢの光伝送装置８００は、図９において説明したように、受けとったＡＰＳ制御情報１０００に基づいて、全ての波長に対応するＯＴＮリングにおいてノードＢとＣの間で障害が発生したことを認識し、リング切替処理における切替対象ノードとして自ノードが指定されていることを認識する。
【０１１７】
また、ノードＤの光伝送装置８００も同様に、代表波長λ１を有する光信号によって、ノードＣから、図１０に示したＡＰＳ制御情報１０００を受信する。その後、ノードＤの光伝送装置８００は、受けとったＡＰＳ制御情報１０００に基づいて、全ての波長に対応するＯＴＮリングにおいてノードＢとＣの間で障害が発生したことを認識する。
【０１１８】
次に、時刻ｔ５において、ノードＢの光伝送装置８００は、代表波長λ１を有する光信号によって、図１０に示したＡＰＳ制御情報１０００を隣接するノードＡに位置する光伝送装置に送信する。その後、ノードＢの光伝送装置８００は、自ノードが切替対象ノードであるとの認識に基づいて、複数のＯＴＮリングの全てについて一括して、光信号の次の送信先ノードをノードＣではなくノードＡに切り替えるための、伝送経路の折り返し処理を実行し、それによって複数のＯＴＮリングの全てについて一括してリング切替処理を実行する。
【０１１９】
また、ノードＤの光伝送装置８００も同様に、代表波長λ１を有する光信号によって、図１０に示したＡＰＳ制御情報１０００を隣接するノードＡに位置する光伝送装置に送信する。
【０１２０】
その後、ノードＡの光伝送装置８００は、代表波長λ１を有する光信号によって、ノードＢ及びＤからそれぞれ、図１０に示したＡＰＳ制御情報１０００を受信する。ノードＡの光伝送装置８００は、受けとったＡＰＳ制御情報１０００に基づいて、全ての波長に対応するＯＴＮリングにおいてノードＢとＣの間で障害が発生したことを認識する。
【０１２１】
以上説明したように、隣接ノード間において複数の波長を有する光信号に障害が発生した場合には、ＯＴＮリングネットワークにおいては、各ノードの光伝送装置が、ＡＰＳ制御信号の送受信を通じて、複数の光信号の全ての波長について障害が発生したこと、及びリング切替処理における切替対象ノードがどのノードであるかを認識し、複数のＯＴＮリングの全てについて一括してリング切替処理を実行するので、障害を救済することができる。
【０１２２】
［２−４．隣接ノード間において代表波長以外の特定の波長を有する光信号に障害が発生した場合のリング切替処理］
以下、ノードＢとノードＣの間において、代表波長λ１以外の波長λ２を有する光信号において障害が発生したという事例に基づいて、隣接ノード間において代表波長以外の特定の波長を有する光信号に障害が発生した場合のリング切替処理の動作例を説明するが、その他の要因で同様の障害が発生した場合も、リング切替処理の動作は同様である。例えば、波長λ１及びλ２以外の波長の光信号において障害が発生した場合等が、その他の要因として考えられる。
【０１２３】
［２−４‐１．光伝送装置の処理］
図１２は、ノードＢとノードＣの間において特定の波長λ２を有する光信号に障害が発生した場合のリング切替処理を説明するための図である。
【０１２４】
図１２に示した例は、ＯＴＮリングネットワーク１００において、ノードＢとノードＣの間において、複数の波長（λ１〜λｎ）の中の代表波長（λ１）以外の特定の波長λ２を有する光信号に障害が発生した事例を示すものである。ＯＴＵリングネットワーク１００の各ノードには、図８に示した光伝送装置８００が設けられている。また、各ノードの光伝送装置８００は、複数の波長（λ１〜λｎ）の中から代表波長として波長λ１を用い、代表波長λ１を有する光信号によって相互に、図６に示したＡＰＳ制御情報６００のやり取りをしている。図１２に示した障害事例の要因としては、例えば、ＯＴＮリングネットワーク１００内のノードＢに位置する光伝送装置８００において、ノードＣ側の、波長λ２に対応する光送受信器８１２‐２のみに故障が発生した場合が考えられる。
【０１２５】
この場合、ノードＣに位置する光伝送装置８００においては、以下のＡＰＳ制御信号の送信処理と、リング切替処理が実行される。
【０１２６】
ノードＢとノードＣにおいて特定の波長λ２を有する光信号に障害が発生しているため、ノードＣに位置する光伝送装置８００においては、ノードＢ側の光送受信器８０２‐２が、ノードＢに位置する光伝送装置から正常に、波長λ２の光信号を受信することができない。
【０１２７】
そのため、光信号検出器８１８‐２は、波長λ２の光信号について、予め定められた範囲内にない平均強度しか検出することができない。その結果、光信号検出器８１８‐２は、波長λ２の光信号について、障害が発生したことを示す障害アラーム信号をＡＰＳ処理部８０８に出力する。
【０１２８】
ＡＰＳ処理部８０８は、光信号検出器８１８‐２から障害アラーム信号を受けとる。ＡＰＳ処理部８０８は、受けとった障害アラーム信号に基づいて、特定の波長λ２に対応するＯＴＮリングにおいてノードＢとＣの間で障害が発生したと判定し、図６に示したフォーマット構成を有するＡＰＳ制御情報６００内の各フィールドにおいて、発生した障害の状況に応じた設定情報を格納する。
【０１２９】
ここで、ＡＰＳ制御情報６００の設定情報について説明する。
【０１３０】
図１３は、ノードＢとノードＣの間において特定の波長λ２を有する光信号に障害が発生した場合のＡＰＳ制御情報６００の設定例を説明する図である。
【０１３１】
ＡＰＳ処理部８０８は、例えば、特定の波長λ２に対応するＲｅｑｕｅｓｔフィールドに“ＳＦ”（Ｓｉｇｎａｌ  Ｆａｉｌ）を格納し、波長λ２以外の波長に対応するＲｅｑｕｅｓｔフィールドには“ＮＲ”（Ｎｏ  Ｒｅｑｕｅｓｔ）を格納する。上述のように、ＳＦはリング切替処理の要求を示す情報であり、ＮＲは正常の接続処理を要求する情報である。
【０１３２】
更に、ＡＰＳ処理部８０８は、ノードＢとノードＣの間で障害が発生しているので、リング切替処理における切替対象ノードとして、Ｓｏｕｒｃｅ  Ｎｏｄｅ  ＩＤフィールドに、自ノード（ＡＰＳ処理部８０８自身を含む光伝送装置８００が位置するノード）であるノードＣを示す識別情報を格納し、Ｒｅｑｕｅｓｔｅｄ  Ｎｏｄｅ  ＩＤフィールドに、もう一方の切替対象ノードであるノードＢの識別情報を格納する。
【０１３３】
また、図１２に示した例では、代表波長として波長λ１が用いられているため、ＡＰＳ処理部８０８は、波長λ１に対応する代表波長フラグフィールに“１”が格納し、波長λ１以外の波長の代表波長フラグフィールドには“０”を格納する。
【０１３４】
また、ＡＰＳ処理部８０８は、ノードＣ（自ノード）から、図１２の長破線の矢印で示した方向に向けて送信するＡＰＳ制御情報１３００においては、Ｓ／Ｌフィールドに“Ｓ”を格納する。ＡＰＳ制御情報１３００の宛先ノードであるノードＢと発信元ノードであるノードＣの間には他のノードは存在せず、ＡＰＳ制御情報の伝送パスが短パス（Ｓｈｏｒｔ  Ｐａｔｈ）となるためである。一方、ＡＰＳ処理部８０８は、ノードＣ（自ノード）から、図１２の実線の矢印で示した方向に向けて送信するＡＰＳ制御情報１３００においては、Ｓ／Ｌフィールドに“Ｌ”を格納する。ＡＰＳ制御情報１３００の宛先ノードであるノードＢと発信元ノードであるノードＣの間にはノードＤ及びＡは存在し、ＡＰＳ制御情報の伝送パスが長パス（Ｌｏｎｇ  Ｐａｔｈ）となるためである。
【０１３５】
また、ＡＰＳ処理部８０８は、切替対象ノードにおけるＯＴＮリングの切替状態に応じて、“Ｂｒ”（Ｂｒｉｄｇｅ）又は“Ｓｗ”（Ｓｗｉｔｃｈ）などの状態を示す情報を格納する。
【０１３６】
ここで、図１２に戻って、ノードＣに位置する光伝送装置８００において実行される処理の説明を続ける。
【０１３７】
ＡＰＳ処理部８０８は、適切な設定情報が格納された後のＡＰＳ制御情報１３００を、ＡＰＳ抽出・挿入部８１４及び８１６に出力する。代表波長λ１に対応する光送受信器８０２‐１及び８１２‐１はそれぞれ、ＯＤＵ処理部８０４‐１及び８１０−１から、対応するＯＴＮフレーム信号を受けとり、受けとった電気信号を、代表波長λ１を有する光信号に変換して出力する。これにより、光伝送装置８００は、代表波長λ１を有する光信号によって、図１３に示したＡＰＳ制御情報１３００を隣接するノードＢ及びＤに位置する光伝送装置に送信する。
【０１３８】
加えて、ＡＰＳ処理部８０８は、ＯＤＵスイッチング部８０６に、特定の波長λ２について選択的に、リング切替処理の実行を指示するリング切替指示を発行する。
【０１３９】
ＯＤＵスイッチング部８０６は、ＡＰＳ処理部８０８からのリング切替指示に基づいて、特定のＯＴＮリングの波長λ２について選択的に、リング切替処理を実行する。すなわち、ＯＤＵスイッチング部８０６は、ノードＤ側のＯＤＵ処理部８１０‐２から出力されたＯＴＮフレーム信号について選択的に、伝送経路の折り返し処理を実行する。これにより、ノードＣに位置する光伝送装置８００は、特定の波長λ２に対応するＯＴＮリングについて選択的に、光信号の次の送信先ノードをノードＢではなくノードＤに切り替えるための、伝送経路の折り返し処理を実行する。
【０１４０】
一方、ノードＢに位置する光伝送装置８００においては、以下のリング切替処理が実行される。
【０１４１】
ノードＢに位置する光伝送装置８００においては、例えば、光送受信器８１２−１は、ノードＣから短パスを介して（他のノードを介さずに）代表波長λ１を有する光信号を受信することにより、ＡＰＳ制御情報１３００を受信する。更に、光送受信器８０２‐１は、ノードＣから長パスを介して（ノードＤ及びＡを介して）代表波長λ１を有する光信号を受信することにより、図１３に示したＡＰＳ制御情報１３００を受信する。ＡＰＳ処理部８０８は、受けとったＡＰＳ制御情報１３００に基づいて、ＯＴＮリングネットワーク１００において、特定の波長λ２について障害が発生したことを認識し、かつ、その障害が自ノード（ノードＢ）と隣接ノードＣの間で発生しており、リング切替処理における切替対象ノードとして自ノードが指定されていることを認識する。その結果、ＡＰＳ処理部８０８は、ＯＤＵスイッチング部８０６に、特定の波長λ２について、リング切替処理の実行を指示するリング切替指示を発行する。
【０１４２】
ＯＤＵスイッチング部８０６は、ＡＰＳ処理部８０８からのリング切替指示に基づいて、特定の波長λ２について、リング切替処理を実行する。すなわち、ＯＤＵスイッチング部８０６は、ノードＡ側のＯＤＵ処理部８０４‐２から出力されたＯＴＮフレーム信号について選択的に、伝送経路の折り返し処理を実行する。これにより、ノードＢに位置する光伝送装置８００は、特定の波長λ２に対応するＯＴＮリングについて選択的に、光信号の次の送信先ノードをノードＣではなくノードＡに切り替えるための、伝送経路の折り返し処理を実行する。
【０１４３】
以上説明したように、隣接ノード間において代表波長以外の特定の波長を有する光信号に障害が発生した場合には、その隣接ノードに位置する光伝送装置においては、その特定の波長について障害が発生したことを示すＡＰＳ制御情報を送信し、さらに、その特定の波長に対応するＯＴＮリングについて選択的にリング切替処理を実行するので、正常に光信号の送受信が可能なリングにおいてリング切替処理を行うことなく、ＯＴＮリングネットワークにおける伝送経路のリソースを有効に活用しながら、障害を救済することができる。また、不要なリング切替処理の発生を防止することができるので、各ノードにおいて、リング切替処理に伴ってリングが遮断される時間が発生するのを最小限に抑えることができる。
【０１４４】
［２−４‐２．リング切替処理のシーケンス］
次に、リング切替処理のシーケンスの一例を説明する。
【０１４５】
図１４は、ノードＢとノードＣの間において特定の波長λ２を有する光信号に障害が発生した場合のリング切替処理のシーケンスの一例を示す図である。
【０１４６】
図１４に示したように、ＯＴＮリングネットワーク１００においては、いずれのノード間においても障害が発生していない期間（時刻ｔ１より前）は、各光伝送装置８００は、隣接ノード間において相互に、全ての波長（λ１〜λｎ）に対応するＲｅｑｕｅｓｔフィールドに“ＮＲ”（Ｎｏ  Ｒｅｑｕｅｓｔ）が格納されたＡＰＳ制御情報を送信し合う。上述のように、ＮＲは、正常の接続処理の要求を示す情報である。これにより、各ノードの光伝送装置はリング切替処理を実行せず、正常の接続処理を実行する。
【０１４７】
これに対し、時刻ｔ１において、特定の波長λ２の光信号において障害が発生した場合、時刻ｔ２において、ノードＣに位置する光伝送装置８００は、図１２において説明したように、特定の波長λ２に対応するＯＴＮリングにおいてノードＢとＣの間で障害が発生したと判定し（ＳＦ（λ２）  ｄｅｔｅｃｔ）、自ノード（ノードＣ）とノードＢがリング切替処理における切替対象ノードであると判定する。その後、ノードＣの光伝送装置８００は、図１３に示したように、ＡＰＳ制御情報６００内の各フィールドに適切な設定情報を格納する。
【０１４８】
次に、時刻ｔ３において、ノードＣの光伝送装置８００は、代表波長λ１を有する光信号によって、図１３に示したＡＰＳ制御情報１３００を隣接するノードＢ及びＤに位置する光伝送装置に送信する。その後、ノードＣの光伝送装置８００は、特定の波長λ２に対応するＯＴＮリングについて選択的に、光信号の次の送信先ノードをノードＢではなくノードＤに切り替えるための、伝送経路の折り返し処理を実行し、それによって特定の波長λ２に対応するＯＴＮリングについて選択的にリング切替処理を実行する。
【０１４９】
次に、時刻ｔ４において、ノードＢの光伝送装置８００は、代表波長λ１を有する光信号によって、ノードＣから、図１３に示したＡＰＳ制御情報１３００を受信する。ノードＢの光伝送装置８００は、図１２において説明したように、受けとったＡＰＳ制御情報１３００に基づいて、特定の波長λ２に対応するＯＴＮリングにおいてノードＢとＣの間で障害が発生したことを認識し、リング切替処理における切替対象ノードとして自ノードが指定されていることを認識する。
【０１５０】
また、ノードＤの光伝送装置８００も同様に、代表波長λ１を有する光信号によって、ノードＣから、図１３に示したＡＰＳ制御情報１３００を受信する。その後、ノードＤの光伝送装置８００は、受けとったＡＰＳ制御情報１３００に基づいて、特定の波長λ２に対応するＯＴＮリングにおいてノードＢとＣの間で障害が発生したことを認識する。
【０１５１】
次に、時刻ｔ５において、ノードＢの光伝送装置８００は、代表波長λ１を有する光信号によって、図１３に示したＡＰＳ制御情報１３００を隣接するノードＡに位置する光伝送装置に送信する。その後、ノードＢの光伝送装置８００は、自ノードが切替対象ノードであるとの認識に基づいて、特定の波長λ２に対応するＯＴＮリングについて選択的に、光信号の次の送信先ノードをノードＣではなくノードＡに切り替えるための、伝送経路の折り返し処理を実行し、それによって特定の波長λ２に対応するＯＴＮリングについて選択的にリング切替処理を実行する。
【０１５２】
また、ノードＤの光伝送装置８００も同様に、代表波長λ１を有する光信号によって、図１３に示したＡＰＳ制御情報１３００を隣接するノードＡに位置する光伝送装置に送信する。
【０１５３】
その後、ノードＡの光伝送装置８００は、代表波長λ１を有する光信号によって、ノードＢ及びＤからそれぞれ、図１３に示したＡＰＳ制御情報１３００を受信する。ノードＡの光伝送装置８００は、受けとったＡＰＳ制御情報１３００に基づいて、特定の波長λ２に対応するＯＴＮリングにおいてノードＢとＣの間で障害が発生したことを認識する。
【０１５４】
以上説明したように、隣接ノード間において代表波長以外の特定の波長を有する光信号に障害が発生した場合には、ＯＴＮリングネットワークにおいては、各ノードの光伝送装置が、ＡＰＳ制御信号の送受信を通じて、その特定の波長について障害が発生したこと、及びリング切替処理における切替対象ノードの情報を認識し、その特定の波長に対応するＯＴＮリングについて選択的にリング切替処理を実行するので、正常に光信号の送受信が可能なリングにおいてリング切替処理を行うことなく、ＯＴＮリングネットワークにおける伝送経路のリソースを有効に活用しながら、障害を救済することができる。また、各ノードの光伝送装置において、不要なリング切替処理が発生するのを防止することができるので、各ノードにおいて、リング切替処理に伴ってリングが遮断される時間が発生するのを最小限に抑えることができる。
【０１５５】
［２−５．隣接ノード間において代表波長を有する光信号に障害が発生した場合のリング切替処理］
以下、ノードＢとノードＣの間において、代表波長λ１を有する光信号において障害が発生したという事例に基づいて、隣接ノード間において代表波長を有する光信号に障害が発生した場合のリング切替処理の動作例を説明するが、その他の要因で同様の障害が発生した場合も、リング切替処理の動作は同様である。例えば、波長λ１以外の代表波長を有する光信号において障害が発生した場合等が、その他の要因として考えられる。
【０１５６】
［２−５‐１．隣接ノードに位置する光伝送装置の処理］
図１５は、ノードＢとノードＣの間において代表波長λ１を有する光信号に障害が発生した場合のリング切替処理を説明するための図である。
【０１５７】
図１５に示した例は、ＯＴＮリングネットワーク１００において、ノードＢとノードＣの間において、複数の波長（λ１〜λｎ）の中の代表波長λ１を有する光信号に障害が発生した事例を示すものである。ＯＴＮリングネットワーク１００の各ノードには、図８に示した光伝送装置８００が設けられている。また、各ノードの光伝送装置８００は、複数の波長（λ１〜λｎ）の中から代表波長として波長λ１を用い、代表波長λ１を有する光信号によって相互に、図６に示したＡＰＳ制御情報６００のやり取りをしている。図１５に示した障害事例の要因としては、例えば、ＯＴＮリングネットワーク１００内のノードＢに位置する光伝送装置８００において、ノードＣ側の、代表波長λ１に対応する光送受信器８１２‐１のみに故障が発生した場合が考えられる。
【０１５８】
この場合、ノードＣに位置する光伝送装置８００においては、以下のＡＰＳ制御信号の送信処理と、リング切替処理が実行される。
【０１５９】
ノードＢとノードＣにおいて代表波長λ１を有する光信号に障害が発生しているため、ノードＣに位置する光伝送装置８００においては、ノードＢ側の光送受信器８０２‐１が、ノードＢに位置する光伝送装置から正常に、代表波長λ１の光信号を受信することができない。
【０１６０】
そのため、光信号検出器８１８‐１は、代表波長λ１の光信号について、予め定められた範囲内にない平均強度しか検出することができない。その結果、光信号検出器８１８‐１は、代表波長λ１の光信号について、障害が発生したことを示す障害アラーム信号をＡＰＳ処理部８０８に出力する。
【０１６１】
ＡＰＳ処理部８０８は、光信号検出器８１８‐１から障害アラーム信号を受けとる。ＡＰＳ処理部８０８は、受けとった障害アラーム信号に基づいて、代表波長λ１に対応するＯＴＮリングにおいてノードＢとＣの間で障害が発生したと判定し、図６に示したフォーマット構成を有するＡＰＳ制御情報６００内の各フィールドにおいて、発生した障害の状況に応じた設定情報を格納する。
【０１６２】
ここで、ＡＰＳ制御情報６００の設定情報について説明する。
【０１６３】
図１６は、ノードＢとノードＣの間において代表波長λ１を有する光信号に障害が発生した場合のＡＰＳ制御情報１６００の設定例を説明する図である。
【０１６４】
ＡＰＳ処理部８０８は、例えば、代表波長λ２に対応するＲｅｑｕｅｓｔフィールドに“ＳＦ”（Ｓｉｇｎａｌ  Ｆａｉｌ）を格納し、代表波長λ１以外の波長に対応するＲｅｑｕｅｓｔフィールドには“ＮＲ”（Ｎｏ  Ｒｅｑｕｅｓｔ）を格納する。上述のように、ＳＦはリング切替処理の要求を示す情報であり、ＮＲは正常の接続処理を要求する情報である。
【０１６５】
更に、ＡＰＳ処理部８０８は、ノードＢとノードＣの間で障害が発生しているので、リング切替処理における切替対象ノードとして、Ｓｏｕｒｃｅ  Ｎｏｄｅ  ＩＤフィールドに、自ノード（ＡＰＳ処理部８０８自身を含む光伝送装置８００が位置するノード）であるノードＣを示す識別情報を格納し、Ｒｅｑｕｅｓｔｅｄ  Ｎｏｄｅ  ＩＤフィールドに、もう一方の切替対象ノードであるノードＢの識別情報を格納する。
【０１６６】
また、図１５に示した例では、代表波長として用いられている波長λ１の光信号に障害が発生しているため、ＡＰＳ処理部８０８は、代表波長を変更する処理を実行する。すなわち、ＡＰＳ処理部８０８は、障害が発生していない、正常なＯＴＮリングの波長を新たに代表波長として選択する。図１６に示した例では、ＡＰＳ処理部８０８は、波長λ２を新たな代表波長として選択し、代表波長を、障害が発生したＯＴＮリングに対応する現在の波長λ１から、新たに選択した波長λ２に変更している。ＡＰＳ処理部８０８は、新たに代表波長として選択した波長λ２に対応する代表波長フラグフィールドに“１”を格納し、波長λ１を含む他の波長に対応する代表波長フラグフィールドに“０”を格納する。
【０１６７】
また、ＡＰＳ処理部８０８は、ノードＣ（自ノード）から、図１５の長破線の矢印で示した方向に向けて送信するＡＰＳ制御情報１６００においては、Ｓ／Ｌフィールドに“Ｓ”を格納する。ＡＰＳ制御情報１６００の宛先ノードであるノードＢと発信元ノードであるノードＣの間には他のノードは存在せず、ＡＰＳ制御情報の伝送パスが短パス（Ｓｈｏｒｔ  Ｐａｔｈ）となるためである。一方、ＡＰＳ処理部８０８は、ノードＣ（自ノード）から、図１５の実線の矢印で示した方向に向けて送信するＡＰＳ制御情報１６００においては、Ｓ／Ｌフィールドに“Ｌ”を格納する。ＡＰＳ制御情報１６００の宛先ノードであるノードＢと発信元ノードであるノードＣの間にはノードＤ及びＡは存在し、ＡＰＳ制御情報の伝送パスが長パス（Ｌｏｎｇ  Ｐａｔｈ）となるためである。
【０１６８】
また、ＡＰＳ処理部８０８は、切替対象ノードにおけるＯＴＮリングの切替状態に応じて、“Ｂｒ”（Ｂｒｉｄｇｅ）又は“Ｓｗ”（Ｓｗｉｔｃｈ）などの状態を示す情報を格納する。
【０１６９】
ここで、図１５に戻って、ノードＣに位置する光伝送装置８００において実行される処理の説明を続ける。
【０１７０】
ＡＰＳ処理部８０８は、適切な設定情報が格納された後のＡＰＳ制御情報１６００を、ＡＰＳ抽出・挿入部８１４及び８１６に出力する。新たな代表波長λ２に対応する光送受信器８０２‐２及び８１２‐２はそれぞれ、ＯＤＵ処理部８０４‐２及び８１０−２から、対応するＯＴＮフレーム信号を受けとり、受けとった電気信号を、新たな代表波長λ２を有する光信号に変換して出力する。これにより、光伝送装置８００は、新たな代表波長λ２を有する光信号によって、図１６に示したＡＰＳ制御情報１６００を隣接するノードＢ及びＤに位置する光伝送装置に送信する。
【０１７１】
加えて、ＡＰＳ処理部８０８は、ＯＤＵスイッチング部８０６に、障害が発生したＯＴＮリングに対応する波長λ１について選択的に、リング切替処理の実行を指示するリング切替指示を発行する。
【０１７２】
ＯＤＵスイッチング部８０６は、ＡＰＳ処理部８０８からのリング切替指示に基づいて、波長λ１について選択的に、リング切替処理を実行する。すなわち、ＯＤＵスイッチング部８０６は、ノードＤ側のＯＤＵ処理部８１０‐１から出力されたＯＴＮフレーム信号について選択的に、伝送経路の折り返し処理を実行する。これにより、ノードＣに位置する光伝送装置８００は、波長λ１に対応するＯＴＮリングについて選択的に、光信号の次の送信先ノードをノードＢではなくノードＤに切り替えるための、伝送経路の折り返し処理を実行する。
【０１７３】
一方、ノードＢに位置する光伝送装置８００においては、以下のリング切替処理が実行される。
【０１７４】
ノードＢに位置する光伝送装置８００においては、例えば、光送受信器８１２−２は、ノードＣから短パスを介して（他のノードを介さずに）代表波長λ２を有する光信号を受信することにより、ＡＰＳ制御情報１６００を受信する。更に、光送受信器８０２‐２は、ノードＣから長パスを介して（ノードＤ及びＡを介して）代表波長λ２を有する光信号を受信することにより、図１６に示したＡＰＳ制御情報１６００を受信する。ＡＰＳ処理部８０８は、受けとったＡＰＳ制御情報１６００に基づいて、ＯＴＮリングネットワーク１００において、以前代表波長であった波長λ１について障害が発生したこと、及び、それに伴って代表波長がλ１からλ２に変更されたことを認識する。加えて、ＡＰＳ処理部８０８は、その障害が自ノード（ノードＢ）と隣接ノードＣの間で発生しており、リング切替処理における切替対象ノードとして自ノードが指定されていることを認識する。その結果、ＡＰＳ処理部８０８は、ＯＤＵスイッチング部８０６に、波長λ１について、リング切替処理の実行を指示するリング切替指示を発行する。
【０１７５】
ＯＤＵスイッチング部８０６は、ＡＰＳ処理部８０８からのリング切替指示に基づいて、波長λ１について、リング切替処理を実行する。すなわち、ＯＤＵスイッチング部８０６は、ノードＡ側のＯＤＵ処理部８０４‐１から出力されたＯＴＮフレーム信号について選択的に、伝送経路の折り返し処理を実行する。これにより、ノードＢに位置する光伝送装置８００は、波長λ１に対応するＯＴＮリングについて選択的に、光信号の次の送信先ノードをノードＣではなくノードＡに切り替えるための、伝送経路の折り返し処理を実行する。
【０１７６】
以上説明したように、隣接ノード間において代表波長を有する光信号に障害が発生した場合には、その隣接ノードに位置する光伝送装置においては、その代表波長について障害が発生したことを示すＡＰＳ制御情報を送信し、さらに、その代表波長に対応するＯＴＮリングについて選択的にリング切替処理を実行するので、正常に光信号の送受信が可能なリングにおいてリング切替処理を行うことなく、ＯＴＮリングネットワークにおける伝送経路のリソースを有効に活用しながら、障害を救済することができる。
【０１７７】
また、その隣接ノードに位置する光伝送装置はＡＰＳ制御情報を、代表波長を別の波長に変更した上で、変更後の新たな代表波長を有する光信号によって送信するので、ＡＰＳ制御情報をＯＴＮリングネットワークにおける各ノードの光伝送装置に確実に送信することができる。
【０１７８】
［２−５‐２．リング切替処理のシーケンス］
次に、リング切替処理のシーケンスの一例を説明する。
【０１７９】
図１７は、ノードＢとノードＣの間において代表波長λ１を有する光信号に障害が発生した場合のリング切替処理のシーケンスの一例を示す図である。
【０１８０】
図１７に示したように、ＯＴＮリングネットワーク１００においては、いずれのノード間においても障害が発生していない期間（時刻ｔ１より前）は、各光伝送装置８００は、隣接ノード間において相互に、全ての波長（λ１〜λｎ）に対応するＲｅｑｕｅｓｔフィールドに“ＮＲ”（Ｎｏ  Ｒｅｑｕｅｓｔ）が格納されたＡＰＳ制御情報を送信し合う。上述のように、ＮＲは、正常の接続処理の要求を示す情報である。これにより、各ノードの光伝送装置はリング切替処理を実行せず、正常の接続処理を実行する。
【０１８１】
これに対し、時刻ｔ１において、代表波長λ１の光信号において障害が発生した場合、時刻ｔ２において、ノードＣに位置する光伝送装置８００は、図１５において説明したように、代表波長λ１に対応するＯＴＮリングにおいてノードＢとＣの間で障害が発生したと判定し（ＳＦ（λ１）  ｄｅｔｅｃｔ）、自ノード（ノードＣ）とノードＢがリング切替処理における切替対象ノードであると判定する。その後、ノードＣの光伝送装置８００は、代表波長を変更する処理を実行する。すなわち、ノードＣの光伝送装置８００は、障害が発生していない、正常なＯＴＮリングの波長λ２を新たに代表波長として選択し、代表波長を、障害が発生したＯＴＮリングに対応する現在の波長λ１から、新たに選択した波長λ２に変更する。加えて、ノードＣの光伝送装置８００は、図１６に示したように、ＡＰＳ制御情報６００内の各フィールドに適切な設定情報を格納する。
【０１８２】
次に、時刻ｔ３において、ノードＣの光伝送装置８００は、新たな代表波長λ２を有する光信号によって、図１６に示したＡＰＳ制御情報１６００を隣接するノードＢ及びＤに位置する光伝送装置に送信する。その後、ノードＣの光伝送装置８００は、以前代表波長であった波長λ１に対応するＯＴＮリングについて選択的に、光信号の次の送信先ノードをノードＢではなくノードＤに切り替えるための、伝送経路の折り返し処理を実行し、それによって波長λ１に対応するＯＴＮリングについて選択的にリング切替処理を実行する。
【０１８３】
次に、時刻ｔ４において、ノードＢの光伝送装置８００は、代表波長λ２を有する光信号によって、ノードＣから、図１６に示したＡＰＳ制御情報１６００を受信する。ノードＢの光伝送装置８００は、図１５において説明したように、受けとったＡＰＳ制御情報１６００に基づいて、以前代表波長であった波長λ１に対応するＯＴＮリングにおいてノードＢとＣの間で障害が発生したことを認識し、リング切替処理における切替対象ノードとして自ノードが指定されていることを認識する。
【０１８４】
また、ノードＤの光伝送装置８００も同様に、代表波長λ２を有する光信号によって、ノードＣから、図１６に示したＡＰＳ制御情報１６００を受信する。その後、ノードＤの光伝送装置８００は、受けとったＡＰＳ制御情報１６００に基づいて、波長λ１に対応するＯＴＮリングにおいてノードＢとＣの間で障害が発生したことを認識する。
【０１８５】
次に、時刻ｔ５において、ノードＢの光伝送装置８００は、代表波長λ２を有する光信号によって、図１６に示したＡＰＳ制御情報１６００を隣接するノードＡに位置する光伝送装置に送信する。その後、ノードＢの光伝送装置８００は、自ノードが切替対象ノードであるとの認識に基づいて、以前代表波長であった波長λ１に対応するＯＴＮリングについて選択的に、光信号の次の送信先ノードをノードＣではなくノードＡに切り替えるための、伝送経路の折り返し処理を実行し、それによって波長λ１に対応するＯＴＮリングについて選択的にリング切替処理を実行する。
【０１８６】
また、ノードＤの光伝送装置８００も同様に、代表波長λ２を有する光信号によって、図１６に示したＡＰＳ制御情報１６００を隣接するノードＡに位置する光伝送装置に送信する。
【０１８７】
その後、ノードＡの光伝送装置８００は、代表波長λ２を有する光信号によって、ノードＢ及びＤからそれぞれ、図１６に示したＡＰＳ制御情報１６００を受信する。ノードＡの光伝送装置８００は、受けとったＡＰＳ制御情報１６００に基づいて、波長λ１に対応するＯＴＮリングにおいてノードＢとＣの間で障害が発生したことを認識する。
【０１８８】
以上説明したように、隣接ノード間において代表波長を有する光信号に障害が発生した場合には、ＯＴＮリングネットワークにおいては、各ノードの光伝送装置が、ＡＰＳ制御信号の送受信を通じて、その代表波長について障害が発生したこと、及びリング切替処理における切替対象ノードの情報を認識し、その代表波長に対応するＯＴＮリングについて選択的にリング切替処理を実行するので、正常に光信号の送受信が可能なリングにおいてリング切替処理を行うことなく、ＯＴＮリングネットワークにおける伝送経路のリソースを有効に活用しながら、障害を救済することができる。
【０１８９】
また、ＡＰＳ制御情報は、代表波長を別の波長に変更した上で、変更後の新たな代表波長を有する光信号によって、ＯＴＮリングネットワークの各ノードの光伝送装置に送信されるので、ＡＰＳ制御情報をＯＴＮリングネットワークにおける各ノードの光伝送装置に確実に送信することができる。
【０１９０】
［２−６．光伝送装置の変形例］
図１８は、第１実施例に係る光伝送装置８００の変形例を示す図である。
【０１９１】
図８に示した光伝送装置８００においては、ＷＤＭに対応する複数の波長の全てに対して、ＡＰＳ処理部８０８を１つだけ設けた構成例を示したが、この構成には限定されず、複数の波長を複数のグループに分割し、分割されたグループごとにＡＰＳ処理部を設けるようにしてもよい。
【０１９２】
図１８に示した光伝送装置１８００では、複数の波長（λ１〜λ２ｍ）を、λ１〜λｍまでの前半の波長のグループと、λｍ＋１〜λ２ｍまでの後半の波長のグループの２つのグループに分割し、分割した２つのグループに対応して、２つのＡＰＳ処理部が設けられている。また、２つのＡＰＳ処理部が設けられたことに対応して、ＡＰＳ抽出・挿入部及び光信号検出器もそれぞれ、２セット分が設けられている。
【０１９３】
光伝送装置１８００の各部の動作については、光伝送装置８００の対応する部分と同様である。
【０１９４】
［３．第２実施例］
以下、第２実施例に係る光伝送装置及び光伝送ネットワークシステムについて説明する。
【０１９５】
［３−１．ＡＰＳ制御情報の構成］
まず、第２実施例に係る光伝送装置が処理するＡＰＳ制御情報の構成例について説明する。
【０１９６】
図１９は、第２実施例に係るＡＰＳ制御情報１９００のフォーマット構成の一例を示す図である。図１９に示したＡＰＳ制御情報１９００は、図６に示したＡＰＳ制御情報６００と同様に、ＷＤＭに適応するため、複数の異なる波長（λ１〜λｎ）の各々に対応して設けられた複数の分割ＡＰＳ制御情報を含む。しかしながら、ＡＰＳ制御情報１９００では、ＡＰＳ制御情報６００とは異なり、各々の分割ＡＰＳ制御情報が互いに同一のフォーマット構成を有する。
【０１９７】
各々の分割ＡＰＳ制御情報は、Ｒｅｑｕｅｓｔフィールド（バイト１のビット１〜４）及び代表波長フラグフィールド（バイト４のビット８）を含む。また、各々の分割ＡＰＳ制御情報はさらに、Ｓ／Ｌフィールド（（バイト１のビット５）、Ｓｔａｔｅフィールド（バイト１のビット６〜８）、Ｒｅｑｕｅｓｔｅｄ  Ｎｏｄｅ  ＩＤフィールド（バイト２のビット１〜８）、及びＳｏｕｒｃｅ  Ｎｏｄｅ  ＩＤフィールド（バイト３のビット１〜８）を含む。各フィールドに格納される情報の詳細については、ＡＰＳ制御情報６００に格納される情報と同様である。
【０１９８】
また、ＡＰＳ制御情報１９００の送信は、ＡＰＳ制御情報６００の場合と同様に、複数の波長の光信号の中で、代表波長（図１９で、λ１）を有する１つの光信号によって行われる。すなわち、ＡＰＳ制御情報１９００は、代表波長（λ１）を有する１つの光信号によって、ＯＴＮリングネットワーク内の各ノードに位置する光伝送装置に送信される。
【０１９９】
図１９に示したＡＰＳ制御情報１９００のフォーマット構成では、Ｒｅｑｕｅｓｔｅｄ  Ｎｏｄｅ  ＩＤフィールド及びＳｏｕｒｃｅ  Ｎｏｄｅ  ＩＤフィールドは、各々の波長ごとに設定可能である。そのため、ＯＴＮリングネットワーク１００において、後述するように、異なる波長に対応する異なるＯＴＮリングについて、複数の箇所において同時に障害が発生した場合であっても、ＡＰＳ制御情報１９００において障害が発生した各々のＯＴＮリングごとに、リング切替処理における切替対象ノードを指定することができる。
【０２００】
よって、複数のＯＴＮリングにおいて障害が発生した場合でも、代表波長を有する光信号によってＡＰＳ制御情報１９００を送受信することにより、各ノードの光伝送装置に、障害が発生した各ＯＴＮリングに対する切替対象ノードの情報を通知することができるので、障害が発生したＯＴＮリングごとにリング切替処理を適切に実行することができ、複数のＯＴＮリングにおける障害を救済することが可能になる。
【０２０１】
［３−２．リング切替処理］
次に、ＯＴＮリングネットワーク１００において、異なる波長に対応する異なるＯＴＮリングについて同時に障害が発生した場合に実行されるリング切替処理について説明する。
【０２０２】
以下、ノードＢとノードＣの間において、代表波長λ１以外の波長λ２を有する光信号において障害が発生し、ノードＣとノードＤの間において、代表波長λ１以外の波長λ４を有する光信号において障害が発生したという事例に基づいて、異なる波長に対応する異なるＯＴＮリングについて同時に障害が発生した場合のリング切替処理の動作例を説明するが、その他の要因で同様の障害が発生した場合も、リング切替処理の動作は同様である。例えば、波長λ１、λ２及びλ４以外の２つの波長の光信号において障害が発生した場合等が、その他の要因として考えられる。
【０２０３】
図２０は、異なる波長に対応する異なるＯＴＮリングについて同時に障害が発生した場合のリング切替処理を説明するための図である。
【０２０４】
図２０に示した例は、ＯＴＮリングネットワーク１００において、ノードＢとノードＣの間において、複数の波長（λ１〜λｎ）の中の代表波長（λ１）以外の特定の波長λ２を有する光信号に障害が発生し、その後更に、ノードＣとノードＤの間において、代表波長（λ１）以外の特定の波長λ４を有する光信号に障害が発生した事例を示すものである。ＯＴＮリングネットワーク１００の各ノードには、図８に示した光伝送装置８００が設けられている。また、各ノードの光伝送装置８００は、複数の波長（λ１〜λｎ）の中から代表波長として波長λ１を用い、代表波長λ１を有する光信号によって相互に、図１９に示したＡＰＳ制御情報１９００のやり取りをしている。図２０に示した障害事例の要因としては、例えば、ＯＴＮリングネットワーク１００内のノードＢに位置する光伝送装置８００において、ノードＣ側の、波長λ２に対応する光送受信器８１２‐２に故障が発生し、その後更にノードＣに位置する光伝送装置８００において、ノードＤ側の、波長λ４に対応する光送受信器８１２‐４に故障が発生した場合が考えられる。
【０２０５】
［３−２‐１．ノードＢとノードＣの間において、特定の波長λ２を有する光信号に障害が発生した段階での光伝送装置の処理］
第一に、ノードＢとノードＣの間において、特定の波長λ２を有する光信号に障害が発生した段階で、ノードＣに位置する光伝送装置８００において、以下のＡＰＳ制御信号の送信処理と、リング切替処理が実行される。
【０２０６】
ノードＢとノードＣにおいて特定の波長λ２を有する光信号に障害が発生しているため、ノードＣに位置する光伝送装置８００においては、ノードＢ側の光送受信器８０２‐２が、ノードＢに位置する光伝送装置から正常に、波長λ２の光信号を受信することができない。
【０２０７】
そのため、光信号検出器８１８‐２は、波長λ２の光信号について、予め定められた範囲内にない平均強度しか検出することができない。その結果、光信号検出器８１８‐２は、波長λ２の光信号について、障害が発生したことを示す障害アラーム信号をＡＰＳ処理部８０８に出力する。
【０２０８】
ＡＰＳ処理部８０８は、光信号検出器８１８‐２から障害アラーム信号を受けとる。ＡＰＳ処理部８０８は、受けとった障害アラーム信号に基づいて、特定の波長λ２に対応するＯＴＮリングにおいてノードＢとＣの間で障害が発生したと判定し、図１９に示したフォーマット構成を有するＡＰＳ制御情報１９００内の各フィールドにおいて、発生した障害の状況に応じた設定情報を格納する。
【０２０９】
ここで、ＡＰＳ制御情報１９００の設定情報について説明する。
【０２１０】
図２１は、ノードＢとノードＣの間において特定の波長λ２を有する光信号に障害が発生した場合のＡＰＳ制御情報２１００の設定例を説明する図である。
【０２１１】
ＡＰＳ処理部８０８は、例えば、特定の波長λ２に対応するＲｅｑｕｅｓｔフィールドに“ＳＦ”（Ｓｉｇｎａｌ  Ｆａｉｌ）を格納し、波長λ２以外の波長に対応するＲｅｑｕｅｓｔフィールドには“ＮＲ”（Ｎｏ  Ｒｅｑｕｅｓｔ）を格納する。上述のように、ＳＦはリング切替処理の要求を示す情報であり、ＮＲは正常の接続処理を要求する情報である。
【０２１２】
更に、ＡＰＳ処理部８０８は、ノードＢとノードＣの間で障害が発生しているので、リング切替処理における切替対象ノードとして、波長λ２に対応するＳｏｕｒｃｅ  Ｎｏｄｅ  ＩＤフィールドに、自ノード（ＡＰＳ処理部８０８自身を含む光伝送装置８００が位置するノード）であるノードＣを示す識別情報を格納し、さらに波長λ２に対応するＲｅｑｕｅｓｔｅｄ  Ｎｏｄｅ  ＩＤフィールドに、もう一方の切替対象ノードであるノードＢの識別情報を格納する。
【０２１３】
また、図２０に示した例では、代表波長として波長λ１が用いられているため、ＡＰＳ処理部８０８は、波長λ１に対応する代表波長フラグフィールに“１”が格納し、波長λ１以外の波長の代表波長フラグフィールドには“０”を格納する。
【０２１４】
ここで、図２０に戻って、ノードＣに位置する光伝送装置８００において実行される処理の説明を続ける。
【０２１５】
ＡＰＳ処理部８０８は、適切な設定情報が格納された後のＡＰＳ制御情報２１００を、ＡＰＳ抽出・挿入部８１４及び８１６に出力する。代表波長λ１に対応する光送受信器８０２‐１及び８１２‐１はそれぞれ、ＯＤＵ処理部８０４‐１及び８１０−１から、対応するＯＴＮフレーム信号を受けとり、受けとった電気信号を、代表波長λ１を有する光信号に変換して出力する。これにより、光伝送装置８００は、代表波長λ１を有する光信号によって、図２１に示したＡＰＳ制御情報２１００を隣接するノードＢ及びＤに位置する光伝送装置に送信する。
【０２１６】
加えて、ＡＰＳ処理部８０８は、ＯＤＵスイッチング部８０６に、特定の波長λ２について選択的に、リング切替処理の実行を指示するリング切替指示を発行する。
【０２１７】
ＯＤＵスイッチング部８０６は、ＡＰＳ処理部８０８からのリング切替指示に基づいて、特定のＯＴＮリングの波長λ２について選択的に、リング切替処理を実行する。すなわち、ＯＤＵスイッチング部８０６は、ノードＤ側のＯＤＵ処理部８１０‐２から出力されたＯＴＮフレーム信号について選択的に、伝送経路の折り返し処理を実行する。これにより、ノードＣに位置する光伝送装置８００は、特定の波長λ２に対応するＯＴＮリングについて選択的に、光信号の次の送信先ノードをノードＢではなくノードＤに切り替えるための、伝送経路の折り返し処理を実行する。
【０２１８】
一方、ノードＢに位置する光伝送装置８００においては、以下のリング切替処理が実行される。
【０２１９】
ノードＢに位置する光伝送装置８００においては、例えば、光送受信器８１２−１は、ノードＣから短パスを介して（他のノードを介さずに）代表波長λ１を有する光信号を受信することにより、ＡＰＳ制御情報２１００を受信する。更に、光送受信器８０２‐１は、ノードＣから長パスを介して（ノードＤ及びＡを介して）代表波長λ１を有する光信号を受信することにより、図２１に示したＡＰＳ制御情報２１００を受信する。ＡＰＳ処理部８０８は、受けとったＡＰＳ制御情報２１００に基づいて、ＯＴＮリングネットワーク１００において、特定の波長λ２について障害が発生したことを認識し、かつ、その障害が自ノード（ノードＢ）と隣接ノードＣの間で発生しており、リング切替処理における切替対象ノードとして自ノードが指定されていることを認識する。その結果、ＡＰＳ処理部８０８は、ＯＤＵスイッチング部８０６に、特定の波長λ２について、リング切替処理の実行を指示するリング切替指示を発行する。
【０２２０】
ＯＤＵスイッチング部８０６は、ＡＰＳ処理部８０８からのリング切替指示に基づいて、特定の波長λ２について、リング切替処理を実行する。すなわち、ＯＤＵスイッチング部８０６は、ノードＡ側のＯＤＵ処理部８０４‐２から出力されたＯＴＮフレーム信号について選択的に、伝送経路の折り返し処理を実行する。これにより、ノードＢに位置する光伝送装置８００は、特定の波長λ２に対応するＯＴＮリングについて選択的に、光信号の次の送信先ノードをノードＣではなくノードＡに切り替えるための、伝送経路の折り返し処理を実行する。
【０２２１】
［３−２‐２．ノードＣとノードＤの間において、特定の波長λ４を有する光信号に障害が発生した段階での光伝送装置の処理］
さらに、ノードＣとノードＤの間において特定の波長λ４を有する光信号に障害が発生した段階で、ノードＤに位置する光伝送装置８００において、以下のＡＰＳ制御信号の送信処理と、リング切替処理が実行される。
【０２２２】
ノードＣとノードＤにおいて特定の波長λ４を有する光信号に障害が発生しているため、ノードＤに位置する光伝送装置８００においては、ノードＣ側の光送受信器８０２‐２が、ノードＣに位置する光伝送装置から正常に、波長λ４の光信号を受信することができない。
【０２２３】
そのため、光信号検出器８１８‐２は、波長λ４の光信号について、予め定められた範囲内にない平均強度しか検出することができない。その結果、光信号検出器８１８‐２は、波長λ４の光信号について、障害が発生したことを示す障害アラーム信号をＡＰＳ処理部８０８に出力する。
【０２２４】
ＡＰＳ処理部８０８は、光信号検出器８１８‐２から障害アラーム信号を受けとる。ＡＰＳ処理部８０８は、受けとった障害アラーム信号に基づいて、特定の波長λ４に対応するＯＴＮリングにおいてノードＣとＤの間で障害が発生したと判定し、図２１に示したＡＰＳ制御情報２１００内の各フィールドにおいて、発生した障害の状況に応じて設定情報を更新する。
【０２２５】
ここで、ＡＰＳ制御情報２１００の設定情報について説明する。
【０２２６】
図２２は、ノードＣとノードＤの間において更に、特定の波長λ４を有する光信号に障害が発生した場合のＡＰＳ制御情報２２００の設定例を説明する図である。
【０２２７】
ＡＰＳ処理部８０８は、例えば、特定の波長λ４に対応するＲｅｑｕｅｓｔフィールドに“ＳＦ”（Ｓｉｇｎａｌ  Ｆａｉｌ）を格納し、さらに、波長λ４と、すでに“ＳＦ”が格納されている波長λ２以外の波長に対応するＲｅｑｕｅｓｔフィールドにおいては例えば、“ＮＲ”（Ｎｏ  Ｒｅｑｕｅｓｔ）を維持する。
【０２２８】
更に、ＡＰＳ処理部８０８は、ノードＣとノードＤの間で障害が発生しているので、リング切替処理における切替対象ノードとして、波長λ４に対応するＳｏｕｒｃｅ  Ｎｏｄｅ  ＩＤフィールドに、自ノード（ＡＰＳ処理部８０８自身を含む光伝送装置８００が位置するノード）であるノードＣを示す識別情報を格納し、さらに、波長λ４に対応するＲｅｑｕｅｓｔｅｄ  Ｎｏｄｅ  ＩＤフィールドに、もう一方の切替対象ノードであるノードＢの識別情報を格納する。
【０２２９】
また、図２０に示した例では、代表波長として波長λ１が用いられているため、ＡＰＳ処理部８０８は、波長λ１に対応する代表波長フラグフィールにおいては“１”を維持し、波長λ１以外の波長の代表波長フラグフィールドにおいては“０”を維持する。
【０２３０】
ここで、図２０に戻って、ノードＤに位置する光伝送装置８００において実行される処理の説明を続ける。
【０２３１】
ＡＰＳ処理部８０８は、適切な設定情報が格納された後のＡＰＳ制御情報２２００を、ＡＰＳ抽出・挿入部８１４及び８１６に出力する。代表波長λ１に対応する光送受信器８０２‐１及び８１２‐１はそれぞれ、ＯＤＵ処理部８０４‐１及び８１０−１から、対応するＯＴＮフレーム信号を受けとり、受けとった電気信号を、代表波長λ１を有する光信号に変換して出力する。これにより、光伝送装置８００は、代表波長λ１を有する光信号によって、図２２に示したＡＰＳ制御情報２２００を隣接するノードＣ及びＡに位置する光伝送装置に送信する。
【０２３２】
加えて、ＡＰＳ処理部８０８は、ＯＤＵスイッチング部８０６に、特定の波長λ４について選択的に、リング切替処理の実行を指示するリング切替指示を発行する。
【０２３３】
ＯＤＵスイッチング部８０６は、ＡＰＳ処理部８０８からのリング切替指示に基づいて、特定のＯＴＮリングの波長λ４について選択的に、リング切替処理を実行する。すなわち、ＯＤＵスイッチング部８０６は、ノードＡ側のＯＤＵ処理部８１０‐２から出力されたＯＴＮフレーム信号について選択的に、伝送経路の折り返し処理を実行する。これにより、ノードＤに位置する光伝送装置８００は、特定の波長λ４に対応するＯＴＮリングについて選択的に、光信号の次の送信先ノードをノードＣではなくノードＡに切り替えるための、伝送経路の折り返し処理を実行する。
【０２３４】
一方、ノードＣに位置する光伝送装置８００においては、以下のリング切替処理が実行される。
【０２３５】
ノードＣに位置する光伝送装置８００においては、例えば、光送受信器８１２−１は、ノードＤから短パスを介して（他のノードを介さずに）代表波長λ１を有する光信号を受信することにより、ＡＰＳ制御情報２２００を受信する。更に、光送受信器８０２‐１は、ノードＤから長パスを介して（ノードＡ及びＢを介して）代表波長λ１を有する光信号を受信することにより、図２２に示したＡＰＳ制御情報２２００を受信する。ＡＰＳ処理部８０８は、受けとったＡＰＳ制御情報２２００に基づいて、ＯＴＮリングネットワーク１００において、特定の波長λ４について障害が発生したことを認識し、かつ、その障害が自ノード（ノードＣ）と隣接ノードＤの間で発生しており、リング切替処理における切替対象ノードとして自ノードが指定されていることを認識する。その結果、ＡＰＳ処理部８０８は、ＯＤＵスイッチング部８０６に、特定の波長λ４について、リング切替処理の実行を指示するリング切替指示を発行する。
【０２３６】
ＯＤＵスイッチング部８０６は、ＡＰＳ処理部８０８からのリング切替指示に基づいて、特定の波長λ４について、リング切替処理を実行する。すなわち、ＯＤＵスイッチング部８０６は、ノードＢ側のＯＤＵ処理部８０４‐２から出力されたＯＴＮフレーム信号について選択的に、伝送経路の折り返し処理を実行する。これにより、ノードＣに位置する光伝送装置８００は、特定の波長λ４に対応するＯＴＮリングについて選択的に、光信号の次の送信先ノードをノードＤではなくノードＢに切り替えるための、伝送経路の折り返し処理を実行する。
【０２３７】
以上説明したように、異なる波長に対応する異なるＯＴＮリングについて同時に障害が発生した場合には、障害の発生箇所を含む伝送路の両端に位置するノードに位置する光伝送装置においては、障害が発生したリングの波長を示す情報を含むＡＰＳ制御情報を送信し、さらに、障害が発生した特定のＯＴＮリングについて選択的にリング切替処理を実行するので、異なるＯＴＮリングについて同時に発生した障害を適切に救済することができる。
【０２３８】
［３−２‐３．リング切替処理のシーケンス］
次に、リング切替処理のシーケンスの一例を説明する。
【０２３９】
図２３は、ノードＢとノードＣの間において特定の波長λ２を有する光信号に障害が発生し、ノードＣとノードＤの間において特定の波長λ４を有する光信号に障害が発生した場合のリング切替処理のシーケンスの一例を示す図である。
【０２４０】
図２３に示したように、ＯＴＮリングネットワーク１００においては、いずれのノード間においても障害が発生していない期間（時刻ｔ１より前）は、各光伝送装置８００は、隣接ノード間において相互に、全ての波長（λ１〜λｎ）に対応するＲｅｑｕｅｓｔフィールドに“ＮＲ”（Ｎｏ  Ｒｅｑｕｅｓｔ）が格納されたＡＰＳ制御情報を送信し合う。上述のように、ＮＲは、正常の接続処理の要求を示す情報である。これにより、各ノードの光伝送装置はリング切替処理を実行せず、正常の接続処理を実行する。
【０２４１】
これに対し、時刻ｔ１において、特定の波長λ２の光信号において障害が発生した場合、時刻ｔ２において、ノードＣに位置する光伝送装置８００は、図２０において説明したように、特定の波長λ２に対応するＯＴＮリングにおいてノードＢとＣの間で障害が発生したと判定し（ＳＦ（λ２）  ｄｅｔｅｃｔ）、自ノード（ノードＣ）とノードＢがリング切替処理における切替対象ノードであると判定する。その後、ノードＣの光伝送装置８００は、図２１に示したように、ＡＰＳ制御情報１９００内の各フィールドに適切な設定情報を格納する。
【０２４２】
次に、時刻ｔ３において、ノードＣの光伝送装置８００は、代表波長λ１を有する光信号によって、図２１に示したＡＰＳ制御情報２１００を隣接するノードＢ及びＤに位置する光伝送装置に送信する。その後、ノードＣの光伝送装置８００は、特定の波長λ２に対応するＯＴＮリングについて選択的に、光信号の次の送信先ノードをノードＢではなくノードＤに切り替えるための、伝送経路の折り返し処理を実行し、それによって特定の波長λ２に対応するＯＴＮリングについて選択的にリング切替処理を実行する。
【０２４３】
次に、時刻ｔ４において、ノードＢの光伝送装置８００は、代表波長λ１を有する光信号によって、ノードＣから、図２１に示したＡＰＳ制御情報２１００を受信する。ノードＢの光伝送装置８００は、図２０において説明したように、受けとったＡＰＳ制御情報２１００に基づいて、特定の波長λ２に対応するＯＴＮリングにおいてノードＢとＣの間で障害が発生したことを認識し、リング切替処理における切替対象ノードとして自ノードが指定されていることを認識する。
【０２４４】
また、ノードＤの光伝送装置８００も同様に、代表波長λ１を有する光信号によって、ノードＣから、図２１に示したＡＰＳ制御情報２１００を受信する。その後、ノードＤの光伝送装置８００は、受けとったＡＰＳ制御情報２１００に基づいて、特定の波長λ２に対応するＯＴＮリングにおいてノードＢとＣの間で障害が発生したことを認識する。
【０２４５】
次に、時刻ｔ５において、ノードＢの光伝送装置８００は、代表波長λ１を有する光信号によって、図２１に示したＡＰＳ制御情報２１００を隣接するノードＡに位置する光伝送装置に送信する。その後、ノードＢの光伝送装置８００は、自ノードが切替対象ノードであるとの認識に基づいて、特定の波長λ２に対応するＯＴＮリングについて選択的に、光信号の次の送信先ノードをノードＣではなくノードＡに切り替えるための、伝送経路の折り返し処理を実行し、それによって特定の波長λ２に対応すＯＴＮリングについて選択的にリング切替処理を実行する。
【０２４６】
また、ノードＤの光伝送装置８００も同様に、代表波長λ１を有する光信号によって、図２１に示したＡＰＳ制御情報２１００を隣接するノードＡに位置する光伝送装置に送信する。
【０２４７】
その後、ノードＡの光伝送装置８００は、代表波長λ１を有する光信号によって、ノードＢ及びＤからそれぞれ、図２１に示したＡＰＳ制御情報２１００を受信する。ノードＡの光伝送装置８００は、受けとったＡＰＳ制御情報２１００に基づいて、特定の波長λ２に対応するＯＴＮリングにおいてノードＢとＣの間で障害が発生したことを認識する。
【０２４８】
次に、時刻ｔ６において、特定の波長λ４の光信号において障害が発生した場合、時刻ｔ７において、ノードＤに位置する光伝送装置８００は、図２０において説明したように、特定の波長λ４に対応するＯＴＮリングにおいてノードＣとＤの間で障害が発生したと判定し（ＳＦ（λ２，λ４）  ｄｅｔｅｃｔ）、自ノード（ノードＤ）とノードＣがリング切替処理における切替対象ノードであると判定する。その後、ノードＤの光伝送装置８００は、図２２に示したように、ＡＰＳ制御情報２２００内の各フィールドに適切な設定情報を格納する。
【０２４９】
次に、時刻ｔ８において、ノードＤの光伝送装置８００は、代表波長λ１を有する光信号によって、図２２に示したＡＰＳ制御情報２２００を隣接するノードＡ及びＣに位置する光伝送装置に送信する。その後、ノードＤの光伝送装置８００は、特定の波長λ４に対応するＯＴＮリングについて選択的に、光信号の次の送信先ノードをノードＣではなくノードＡに切り替えるための、伝送経路の折り返し処理を実行し、それによって特定の波長λ４に対応するＯＴＮリングについて選択的にリング切替処理を実行する。
【０２５０】
次に、時刻ｔ９において、ノードＣの光伝送装置８００は、代表波長λ１を有する光信号によって、ノードＤから、図２２に示したＡＰＳ制御情報２２００を受信する。ノードＣの光伝送装置８００は、図２０において説明したように、受けとったＡＰＳ制御情報２２００に基づいて、特定の波長λ４に対応するＯＴＮリングにおいてノードＣとＤの間で障害が発生したことを認識し、リング切替処理における切替対象ノードとして自ノードが指定されていることを認識する。
【０２５１】
また、ノードＡの光伝送装置８００も同様に、代表波長λ１を有する光信号によって、ノードＤから、図２２に示したＡＰＳ制御情報２２００を受信する。その後、ノードＡの光伝送装置８００は、受けとったＡＰＳ制御情報２２００に基づいて、特定の波長λ４に対応するＯＴＮリングにおいてノードＣとＤの間で障害が発生したことを認識する。
【０２５２】
次に、時刻ｔ１０において、ノードＣの光伝送装置８００は、代表波長λ１を有する光信号によって、図２２に示したＡＰＳ制御情報２２００を隣接するノードＢに位置する光伝送装置に送信する。その後、ノードＣの光伝送装置８００は、自ノードが切替対象ノードであるとの認識に基づいて、特定の波長λ４に対応するＯＴＮリングについて選択的に、光信号の次の送信先ノードをノードＤではなくノードＢに切り替えるための、伝送経路の折り返し処理を実行し、それによって特定の波長λ４に対応するＯＴＮリングについて選択的にリング切替処理を実行する。
【０２５３】
また、ノードＡの光伝送装置８００も同様に、代表波長λ１を有する光信号によって、図２２に示したＡＰＳ制御情報２２００を隣接するノードＢに位置する光伝送装置に送信する。
【０２５４】
その後、ノードＢの光伝送装置８００は、代表波長λ１を有する光信号によって、ノードＣ及びＡからそれぞれ、図２２に示したＡＰＳ制御情報２２００を受信する。ノードＡの光伝送装置８００は、受けとったＡＰＳ制御情報２２００に基づいて、特定の波長λ４に対応するＯＴＮリングにおいてノードＣとＤの間で障害が発生したことを認識する。
【０２５５】
以上説明したように、異なる波長に対応する異なるＯＴＮリングについて同時に障害が発生した場合には、ＯＴＮリングネットワークにおいては、各ノードの光伝送装置が、ＡＰＳ制御信号の送受信を通じて、どの波長のリングにおいて障害が発生したか、及び障害が発生したリングごとにリング切替処理における切替対象ノードはどのノードかを認識し、障害が発生した特定のＯＴＮリングについて選択的にリング切替処理を実行するので、異なるＯＴＮリングについて同時に発生した障害を救済することができる。
【０２５６】
以上、本発明の例示的な実施形態の光伝送装置、及び光伝送ネットワークシステムついて説明したが、本発明は、具体的に開示された実施形態に限定されるものではなく、特許請求の範囲から逸脱することなく、種々の変形や変更が可能である。各実施例に開示された技術は、相互に矛盾することがない限り、適宜組合せることが可能であるものである。
【０２５７】
以上の第１及び第２実施例を含む実施形態に関し、さらに以下の付記を開示する。
（付記１）
リング状に結合された複数のノードを含む光伝送ネットワークにおいて、前記複数のノードの１つに設けられ、複数の異なる波長を有し、多重化された複数の光信号を伝送する光伝送装置であって、
前記複数の光信号を受信する光受信部と、
受信された前記複数の光信号の強度を検出する光検出部と、
各々が前記複数の光信号のうちの１つの光信号に対応する、複数の切替要求情報を含む切替制御情報を設定する切替処理部と、
前記複数の波長のうちの１つの波長に対応する代表波長を有する光信号により、前記切替制御情報を送信する光送信部と
を有し、
前記切替処理部は、前記光検出部が、前記受信された光信号のうちの１つの光信号の強度が所定の範囲内にないことを検出したとき、前記切替制御情報において、前記受信された光信号の１つの光信号に対応する前記切替要求情報を、信号故障を示す情報に設定することを特徴とする光伝送装置。
（付記２）
前記光検出部が、前記受信された光信号のうち、少なくとも２つの光信号の強度が前記所定の範囲内にないことを検出したとき、
前記切替処理部は、前記切替制御情報において、前記受信された光信号の全てに対応する前記切替要求情報を、信号故障を示す情報に設定することを特徴とする付記１記載の光伝送装置。
（付記３）
前記光検出部が、前記受信された光信号のうち、前記代表波長以外の波長を有する１つの光信号の強度が前記所定の範囲内にないことを検出したとき、
前記切替処理部は、前記切替制御情報において、前記代表波長以外の波長を有する１つの光信号に対応する前記切替要求情報を、信号故障を示す情報に設定することを特徴とする付記１記載の光伝送装置。
（付記４）
前記光検出部が、前記受信された光信号のうち、前記代表波長を有する光信号の強度が前記所定の範囲内にないことを検出したとき、
前記切替処理部は、前記切替制御情報において、前記代表波長を有する光信号に対応する前記切替要求情報を、信号故障を示す情報に設定し、前記代表波長を、信号強度が前記所定の範囲内にないことが検出されていない光信号に対応する別の波長に変更し、
前記光送信部は、前記変更された代表波長を有する光信号により、前記切替制御情報を送信することを特徴とする付記１記載の光伝送装置。
（付記５）
前記切替制御情報は、前記切替制御情報の発信元となるノードを示す発信元ノード識別情報と、前記切替制御信号の宛先となるノードを示す宛先ノード識別情報をさらに含み、
前記切替制御情報において、前記発信元ノード識別情報及び前記宛先ノード識別情報は、前記複数の波長の中から選択された１つの波長にのみ関連付けられていることを特徴とする付記１ないし４のいずれか一つ記載の光伝送装置。
（付記６）
前記切替制御情報は、前記切替制御情報の発信元となるノードを示す発信元ノード識別情報と、前記切替制御信号の宛先となるノードを示す宛先ノード識別情報をさらに含み、
前記切替制御情報において、前記発信元ノード識別情報及び前記宛先ノード識別情報は、前記複数の波長の各々に関連付けられていることを特徴とする付記１ないし４のいずれか一つ記載の光伝送装置。
（付記７）
前記切替制御情報は、前記複数の波長の各々に関連付けられ、各々対応する前記切替要求情報を含む複数の分割切替制御情報を含み、
前記光送信部は、前記代表波長を有する光信号により、前記切替制御情報を、前記分割切替制御情報ごとに時分割で送信することを特徴とする付記１ないし６のいずれか一つ記載の光伝送装置。
（付記８）
前記複数の光信号の各々の伝送経路を制御する経路切替部をさらに有し、
前記経路切替部は、前記光検出部によって信号強度が前記所定の範囲内にないことが検出された前記受信された光信号の１つの光信号について、選択的に前記伝送経路の切替処理を行うことを特徴とする付記１ないし７のいずれか一つ記載の光伝送装置。
（付記９）
リング状に結合された複数のノードを含む光伝送ネットワークにおいて、前記複数のノードの１つに設けられ、複数の異なる波長を有し、多重化された複数の光信号を伝送する光伝送装置であって、
前記複数の光信号を受信し、前記複数の波長のうちの１つの波長に対応する代表波長を有する光信号により、各々が前記複数の光信号のうちの１つの光信号に対応する、複数の切替要求情報を含む切替制御情報を受信する光受信部と、
受信した前記切替制御情報に含まれる前記複数の切替要求情報に基づいて、前記複数の光信号の各々の伝送経路の切替処理を行う経路切替部と、
前記受信された複数の光信号を送信する光送信部と
を有し、
前記経路切替部は、対応する前記切替要求情報に信号故障を示す情報が設定された光信号について、前記伝送経路の切替処理を行うことを特徴とする光伝送装置。
（付記１０）
前記光送信部は、前記切替処理が行われた後の前記伝送経路に基づいて、前記複数の光信号を送信することを特徴とする付記９記載の光伝送装置。
（付記１１）
前記経路切替部は、前記伝送経路の切替処理において、前記複数の光信号の各々について、送信先のノードを送信元のノードに切り替えるか否かを決定することによって、前記伝送経路を決定することを特徴とする付記８又は９記載の光伝送装置。
（付記１２）
リング状に結合された複数のノードを含み、複数の異なる波長を有し、多重化された複数の光信号を伝送する光伝送ネットワークシステムであって、
前記複数のノードのうちの第１ノードに設けられた第１光伝送装置と、
前記第１ノードと結合された第２ノードに設けられ、前記第１光伝送装置と、前記複数の光信号、及び、各々が前記複数の光信号のうちの１つの光信号に対応する、複数の切替要求情報を含む切替制御情報の送受信を行う第２光伝送装置とを有し、
前記第１光伝送装置は、
前記第２光伝送装置から前記複数の光信号を受信する光受信部と、
受信された前記複数の光信号のレベルを検出する光検出部と、
前記光検出部が、前記受信された光信号のうちの１つの信号の強度が所定の範囲内にないことを検出したとき、前記切替制御信号において、前記受信された光信号の１つに対応する前記切替要求情報を、信号故障を示す情報に設定する切替処理部と、
前記複数の波長のうちの１つに対応する代表波長を有する光信号により、前記切替制御情報を前記第２光伝送装置に送信する光送信部とを含み、
前記第２光伝送装置は、
前記代表波長を有する光信号により、前記第１光伝送装置から前記切替制御情報を受信し、前記第２ノードに関して前記第１ノードと反対側のノードから、前記複数の光信号を受信する光受信部と、
前記切替制御情報に含まれる前記複数の切替要求情報に基づいて、対応する前記切替要求情報に信号故障を示す情報が設定された光信号について、伝送経路の切替処理を行う経路切替部と、
前記切替処理が行われた後の前記伝送経路に基づいて、前記受信された複数の光信号を送信する光送信部とを含む
ことを特徴とする光伝送ネットワークシステム。
【符号の説明】
【０２５８】
１００  ＯＴＮリングネットワーク、
１０２‐１〜１０２‐４  光伝送装置、
２００  光伝送装置、
２０２‐１〜ｎ  光送受信器、
２０４‐１〜ｎ  ＯＤＵ処理部、
２０６  ＯＤＵスイッチング部、
２０８  ＡＰＳ処理部、
２１０‐１〜ｎ  ＯＤＵ処理部、
２１２‐１〜ｎ  光送受信器、
６００  ＡＰＳ制御情報
８００  光伝送装置、
８０２‐１〜ｎ  光送受信器、
８０４‐１〜ｎ  ＯＤＵ処理部、
８０６  ＯＤＵスイッチング部、
８０８  ＡＰＳ処理部、
８１０‐１〜ｎ  ＯＤＵ処理部、
８１２‐１〜ｎ  光送受信器、
８１４、８１６  ＡＰＳ抽出・挿入部、
８１８‐１〜ｎ  光信号検出器、
８２０‐１〜ｎ  光信号検出器、
１０００  ＡＰＳ制御情報、
１３００  ＡＰＳ制御情報、
１６００  ＡＰＳ制御情報、
１８００  光伝送装置、
１９００  ＡＰＳ制御情報、
２１００  ＡＰＳ制御情報、
２２００  ＡＰＳ制御情報
【図１】
0005737067.tif 000002
【図２】
0005737067.tif 000003
【図３】
0005737067.tif 000004
【図４】
0005737067.tif 000005
【図５】
0005737067.tif 000006
【図６】
0005737067.tif 000007
【図７】
0005737067.tif 000008
【図８】
0005737067.tif 000009
【図９】
0005737067.tif 000010
【図１０】
0005737067.tif 000011
【図１１】
0005737067.tif 000012
【図１２】
0005737067.tif 000013
【図１３】
0005737067.tif 000014
【図１４】
0005737067.tif 000015
【図１５】
0005737067.tif 000016
【図１６】
0005737067.tif 000017
【図１７】
0005737067.tif 000018
【図１８】
0005737067.tif 000019
【図１９】
0005737067.tif 000020
【図２０】
0005737067.tif 000021
【図２１】
0005737067.tif 000022
【図２２】
0005737067.tif 000023
【図２３】
0005737067.tif 000024